(57)【特許請求の範囲】
【請求項１】
ＲＡＴ間ネットワークにおける通信方法であって、前記ＲＡＴ間ネットワークが、第１ＲＡＴのソースネットワーク及び第２ＲＡＴのターゲットネットワークを備え、前記方法が、前記ソースネットワーク内のユーザ機器（ＵＥ）が前記ターゲットネットワークを再選択する処理に適用され、前記方法が、
ソースアクセスネットワークデバイスによって一時的優先順位リストを生成するステップであって、前記一時的優先順位リストが前記ソースネットワークの周波数、前記ターゲットネットワークの周波数、前記ソースネットワークの前記周波数の優先度、及び前記ターゲットネットワークの前記周波数の優先度を含み、前記ソースアクセスネットワークデバイスが、前記ＵＥが前記ソースネットワークにアクセスできるようにするデバイスである、ステップと、
前記ソースアクセスネットワークデバイスによって前記一時的優先順位リストをターゲットアクセスネットワークデバイスに送信するステップであって、前記ターゲットアクセスネットワークデバイスが、前記ＵＥが前記ターゲットネットワークにアクセスできるようにするデバイスである、ステップと、
前記ソースアクセスネットワークデバイスによって前記一時的優先順位リストを前記ＵＥに送信するステップと
を含み、
前記一時的優先順位リストを生成する前に、前記方法が、
前記ソースアクセスネットワークデバイスによってサービングセルの負荷を検出するステップであって、前記サービングセルが前記ソースネットワークのセルであり、前記セル上に現在前記ＵＥがキャンプしている、ステップと、
前記サービングセルの前記負荷が第１負荷しきい値よりも大きい場合に前記ソースアクセスネットワークデバイスによって前記ソースネットワークの負荷を検出するステップと、
前記ソースネットワークの前記負荷が第２負荷しきい値よりも大きい場合に前記一時的優先順位リストを生成する前記ステップを起動するステップと
をさらに含む、方法。
【請求項２】
前記一時的優先順位リストにおいて、前記ソースネットワークの前記周波数の前記優先度が、前記ターゲットネットワークの前記周波数の前記優先度よりも低い、請求項１に記載の方法。
【請求項３】
前記ソースネットワークの前記負荷を検出するステップが、
前記サービングセルの検出済み前記負荷に従って前記ソースアクセスネットワークデバイスによって前記ソースネットワークの前記負荷を推定するステップ、又は
前記ソースアクセスネットワークデバイスによって前記ソースネットワーク内のすべての周波数を使用するセルの負荷をマスタ制御ノードから取得し、前記ソースネットワーク内のすべての周波数を使用する前記セルの前記負荷を合計するステップを含む、請求項２に記載の方法。
【請求項４】
前記ソースネットワークの前記負荷が前記第２負荷しきい値よりも大きいことが検出された後に、前記一時的優先順位リストを生成する前記ステップを起動する前に、前記方法が、
前記ソースアクセスネットワークデバイスによって負荷情報取得要求を異なるＲＡＴの別のネットワークに送信するステップと、
前記ソースアクセスネットワークデバイスによって、異なるＲＡＴの前記別のネットワークからフィードバックされた負荷情報を受信するステップと、
前記負荷情報に従って、異なるＲＡＴのネットワークであり、第３負荷しきい値よりも小さい負荷を持つネットワークを検索するステップと、異なるＲＡＴのネットワークであり、前記第３負荷しきい値よりも小さい負荷を持つ前記ネットワークを前記ターゲットネットワークとして使用するステップと
をさらに含む、請求項２に記載の方法。
【請求項５】
前記一時的優先順位リストを前記ＵＥに送信した後に、前記方法が、
前記ソースアクセスネットワークデバイスによって前記ソースネットワークの負荷を検出するステップと、
前記ソースアクセスネットワークデバイスが、前記ソースネットワークの前記負荷が前記第２負荷しきい値よりも小さいことを検出した場合に、前記ソースアクセスネットワークデバイスによって情報を前記ターゲットアクセスネットワークデバイスに送信するステップであって、前記情報が、前記ソースアクセスネットワークデバイスと同様に元の優先順位リストを前記ＵＥに送信するように前記ターゲットアクセスネットワークデバイスに指示するために使用される、ステップと
をさらに含む、請求項２から４のいずれか一項に記載の方法。
【請求項６】
ＲＡＴ間ネットワークにおける通信方法であって、前記ＲＡＴ間ネットワークが、第１ＲＡＴのソースネットワーク及び第２ＲＡＴのターゲットネットワークを備え、前記方法が、前記ソースネットワーク内のユーザ機器（ＵＥ）が前記ターゲットネットワークを再選択する処理に適用され、前記方法が、
ターゲットアクセスネットワークデバイスによって、ソースアクセスネットワークデバイスによって送信された一時的優先順位リストを受信するステップであって、前記一時的優先順位リストが前記ソースネットワークの周波数、前記ターゲットネットワークの周波数、前記ソースネットワークの前記周波数の優先度、及び前記ターゲットネットワークの前記周波数の優先度を含み、前記ソースアクセスネットワークデバイスが、前記ＵＥが前記ソースネットワークにアクセスできるようにするデバイスであり、前記ターゲットアクセスネットワークデバイスが、前記ＵＥが前記ターゲットネットワークにアクセスできるようにするデバイスである、ステップと、
前記ターゲットアクセスネットワークデバイスによって前記一時的優先順位リストを前記ＵＥに送信するステップと
を含み、
前記一時的優先順位リストは、サービングセルの負荷が第１負荷しきい値よりも大きく、且つ前記ソースネットワークの負荷が第２負荷しきい値よりも大きい場合に生成され、前記サービングセルが前記ソースネットワークのセルであり、前記セル上に現在前記ＵＥがキャンプしている、方法。
【請求項７】
前記一時的優先順位リストにおいて、前記ソースネットワークの前記周波数の前記優先度が、前記ターゲットネットワークの前記周波数の前記優先度よりも低い、請求項６に記載の方法。
【請求項８】
ＲＡＴ間ネットワークにおける通信方法であって、前記ＲＡＴ間ネットワークが、第１ＲＡＴのソースネットワーク及び第２ＲＡＴのターゲットネットワークを備え、前記方法が、前記ソースネットワーク内のユーザ機器（ＵＥ）が前記ターゲットネットワークを再選択する処理に適用され、前記方法が、
前記ＵＥによって、ソースアクセスネットワークデバイスによって送信された一時的優先順位リストを受信するステップであって、前記一時的優先順位リストが前記ソースネットワークの周波数、前記ターゲットネットワークの周波数、前記ソースネットワークの前記周波数の優先度、及び前記ターゲットネットワークの前記周波数の優先度を含み、前記ソースアクセスネットワークデバイスが、前記ＵＥが前記ソースネットワークにアクセスできるようにするデバイスである、ステップと、
前記ＵＥによって前記一時的優先順位リスト内の前記周波数の前記優先度に従ってネットワーク再選択を実行するステップと、
前記ＵＥが前記ターゲットネットワークを再選択してアクセスした場合に、ターゲットアクセスネットワークデバイスが前記ソースアクセスネットワークデバイスから受信して前記ＵＥに送信した前記一時的優先順位リストを受信するステップであって、前記ターゲットアクセスネットワークデバイスが、前記ＵＥが前記ターゲットネットワークにアクセスできるようにするデバイスである、ステップと
を含み、
前記一時的優先順位リストは、サービングセルの負荷が第１負荷しきい値よりも大きく、且つ前記ソースネットワークの負荷が第２負荷しきい値よりも大きい場合に生成され、前記サービングセルが前記ソースネットワークのセルであり、前記セル上に現在前記ＵＥがキャンプしている、方法。
【請求項９】
前記一時的優先順位リストにおいて、前記ソースネットワークの前記周波数の前記優先度が、前記ターゲットネットワークの前記周波数の前記優先度よりも低い、請求項８に記載の方法。
【請求項１０】
アクセスネットワークデバイスであって、前記アクセスネットワークデバイスが、ユーザ機器（ＵＥ）がソースネットワークにアクセスできるようにするデバイスであり、前記アクセスネットワークデバイスが、
一時的優先順位リストを生成するように構成された優先順位リスト生成ユニットであって、前記一時的優先順位リストが前記ソースネットワークの周波数、ターゲットネットワークの周波数、前記ソースネットワークの前記周波数の優先度、及び前記ターゲットネットワークの前記周波数の優先度を含む、優先順位リスト生成ユニットと、
前記一時的優先順位リストをターゲットアクセスネットワークデバイスに送信するように構成された送信ユニットであって、前記ターゲットアクセスネットワークデバイスが、前記ＵＥが前記ターゲットネットワークにアクセスし、前記一時的優先順位リストを前記ＵＥに送信できるようにするデバイスである、送信ユニットと、
サービングセルの負荷を検出し、前記サービングセルが前記ソースネットワークのセルであり、前記セル上に現在前記ＵＥがキャンプしており、前記サービングセルの前記負荷が第１負荷しきい値よりも大きい場合に前記ソースネットワークの負荷を検出し、前記ソースネットワークの前記負荷が第２負荷しきい値よりも大きい場合に前記優先順位リスト生成ユニットを起動して前記一時的優先順位リストを生成するように構成された負荷検出ユニットと、
を備える、アクセスネットワークデバイス。
【請求項１１】
前記一時的優先順位リストにおいて、前記ソースネットワークの前記周波数の前記優先度が、前記ターゲットネットワークの前記周波数の前記優先度よりも低い、請求項１０に記載のアクセスネットワークデバイス。
【請求項１２】
前記負荷検出ユニットが、
前記サービングセルの検出済み前記負荷に従って前記ソースネットワークの前記負荷を推定するか、又は
前記ソースネットワーク内のすべての周波数を使用するセルの負荷をマスタ制御ノードから取得し、前記ソースネットワーク内のすべての前記周波数を使用する前記セルの前記負荷を合計するように構成される、請求項１０に記載のアクセスネットワークデバイス。
【請求項１３】
前記ソースネットワークの前記負荷が前記第２負荷しきい値よりも大きいことを検出した後に、前記優先順位リスト生成ユニットを起動して前記一時的優先順位リストを生成する前に、前記負荷検出ユニットが、
負荷情報取得要求を異なるＲＡＴの別のネットワークに送信し、異なるＲＡＴの前記別のネットワークからフィードバックされた負荷情報を受信し、前記負荷情報に従って、異なるＲＡＴのネットワークであり、第３負荷しきい値よりも小さい負荷を持つネットワークを検索し、異なるＲＡＴのネットワークであり、前記第３負荷しきい値よりも小さい負荷を持つ前記ネットワークを前記ターゲットネットワークとして使用するようにさらに構成された、請求項１０に記載のアクセスネットワークデバイス。
【請求項１４】
前記負荷検出ユニットが、
前記送信ユニットが前記一時的優先順位リストを前記ＵＥに送信した後に前記ソースネットワークの負荷を引き続き検出するようにさらに構成され、
前記送信ユニットが、
前記負荷検出ユニットが、前記ソースネットワークの前記負荷が前記第２負荷しきい値よりも小さいことを検出した場合に、情報を前記ターゲットアクセスネットワークデバイスに送信することであって、前記情報が、ソースアクセスネットワークデバイスと同様に元の優先順位リストを前記ＵＥに送信するように前記ターゲットアクセスネットワークデバイスに指示するために使用される、送信することを行うようにさらに構成された、請求項１０から１３のいずれか一項に記載のアクセスネットワークデバイス。
【請求項１５】
アクセスネットワークデバイスであって、前記アクセスネットワークデバイスが、ユーザ機器（ＵＥ）がターゲットネットワークにアクセスできるようにするデバイスであり、前記アクセスネットワークデバイスが、
ソースアクセスネットワークデバイスによって送信された一時的優先順位リストを受信するように構成された受信ユニットであって、前記一時的優先順位リストがソースネットワークの周波数、前記ターゲットネットワークの周波数、前記ソースネットワークの前記周波数の優先度、及び前記ターゲットネットワークの前記周波数の優先度を含み、前記ソースアクセスネットワークデバイスが、前記ＵＥが前記ソースネットワークにアクセスできるようにするデバイスである、受信ユニットと、
前記一時的優先順位リストを前記ＵＥに送信するように構成された送信ユニットと
を備え、
前記一時的優先順位リストは、サービングセルの負荷が第１負荷しきい値よりも大きく、且つ前記ソースネットワークの負荷が第２負荷しきい値よりも大きい場合に生成され、前記サービングセルが前記ソースネットワークのセルであり、前記セル上に現在前記ＵＥがキャンプしている、アクセスネットワークデバイス。
【請求項１６】
前記一時的優先順位リストにおいて、前記ソースネットワークの前記周波数の前記優先度が、前記ターゲットネットワークの前記周波数の前記優先度よりも低い、請求項１５に記載のアクセスネットワークデバイス。
【請求項１７】
ソースアクセスネットワークデバイスによって送信された一時的優先順位リストを受信するように構成された受信ユニットであって、前記一時的優先順位リストがソースネットワークの周波数、ターゲットネットワークの周波数、前記ソースネットワークの前記周波数の優先度、及び前記ターゲットネットワークの前記周波数の優先度を含み、前記ソースアクセスネットワークデバイスが、ＵＥが前記ソースネットワークにアクセスできるようにするデバイスである、受信ユニットと、
前記一時的優先順位リスト内の前記周波数の前記優先度に従ってネットワーク再選択を実行するように構成されたネットワーク再選択ユニットと
を備えており、
前記受信ユニットが、
前記ネットワーク再選択ユニットが前記ターゲットネットワークを再選択してアクセスした場合に、ターゲットアクセスネットワークデバイスが前記ソースアクセスネットワークデバイスから受信して前記ＵＥに送信した前記一時的優先順位リストを受信するようにさらに構成され、前記ターゲットアクセスネットワークデバイスが、前記ＵＥが前記ターゲットネットワークにアクセスできるようにするデバイスであり、
前記一時的優先順位リストは、サービングセルの負荷が第１負荷しきい値よりも大きく、且つ前記ソースネットワークの負荷が第２負荷しきい値よりも大きい場合に生成され、前記サービングセルが前記ソースネットワークのセルであり、前記セル上に現在前記ＵＥがキャンプしている、ユーザ機器（ＵＥ）。
【請求項１８】
前記一時的優先順位リストにおいて、前記ソースネットワークの前記周波数の前記優先度が、前記ターゲットネットワークの前記周波数の前記優先度よりも低い、請求項１７に記載のＵＥ。
【請求項１９】
請求項１から９のいずれか一項の前記方法をコンピュータに実行させるプログラム。
【発明の詳細な説明】
【技術分野】
【０００１】
本発明は通信分野に関連しており、特に、ＲＡＴ間ネットワーク、アクセスネットワークデバイス、及びＵＥにおける通信方法に関連している。
【背景技術】
【０００２】
グローバルシステムフォーモバイルコミュニケーション（ｇｌｏｂａｌ  ｓｙｓｔｅｍ  ｆｏｒ  ｍｏｂｉｌｅ  ｃｏｍｍｕｎｉｃａｔｉｏｎｓ，ＧＳＭ）及びロングタームエボリューション（Ｌｏｎｇ  Ｔｅｒｍ  Ｅｖｏｌｕｔｉｏｎ，ＬＴＥ）ネットワークのシナリオ、又はＬＴＥ及びユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ，ＵＭＴＳ）ネットワークのシナリオ、又はＧＳＭ、ＬＴＥ、及びＵＭＴＳネットワークのシナリオにおいて、無線アクセス技術（ＲＡＴ）のアクセスネットワーク側のサービス負荷が相対的に重くなった場合、共同でカバーされている別のＲＡＴのネットワークにユーザ機器（Ｕｓｅｒ  Ｅｑｕｉｐｍｅｎｔ，ＵＥ）を移動するために、通常は負荷移動アルゴリズムが開始されてサービスポリシーを調整する。接続された（Ｃｏｎｎｅｃｔｅｄ）ＵＥは現在測定可能な負荷であり、アイドル状態（ＩＤＬＥ）のＵＥは潜在的な負荷であり、ＩＤＬＥ  ＵＥは、データ量が相対的に大きいサービスを近い将来開始することができる。負荷移動アルゴリズムは、移動されるＵＥのカテゴリに従って、接続されたアルゴリズムとＩＤＬＥアルゴリズムに分類される。ＩＤＬＥ  ＵＥの移動動作は、主にセルブロードキャストメッセージによって制御される。
【０００３】
従来技術において、ＩＤＬＥ負荷移動の処理は、具体的には次のようになる。サービス負荷が重くなったネットワークは、ネットワークによってブロードキャストされるシステムメッセージを変更し、そのネットワークの周波数を使用するＩＤＬＥセルの再選択優先度をより低いレベルに調整し、共同でカバーされている別のＲＡＴのネットワーク上にあり、より軽い負荷を持つ検出されたＩＤＬＥセルの再選択優先度をより高いレベルに調整して、より多くのＵＥが別のＲＡＴのネットワークを再選択するようにする。
【発明の概要】
【発明が解決しようとする課題】
【０００４】
従来技術におけるＩＤＬＥ負荷移動の処理に存在する主な問題は、異なるＲＡＴのネットワークの再選択優先度を調整できないということである。通常、ネットワークの初期構成時に、さまざまなＲＡＴのネットワークの周波数再選択優先度は一致している。ＲＡＴ内ネットワークが一方的に優先度を調整する場合、ブロードキャストメッセージの内容は、さまざまなＲＡＴのネットワーク間で調整されず、負荷移動の効果が低くなる。例えば、ＬＴＥの負荷が重すぎる場合、ＬＴＥはＵＭＴＳの周波数の優先度が高いというメッセージをブロードキャストし、ＵＥはＵＭＴＳを再選択する。ＵＥがＵＭＴＳを再選択した後、ＵＭＴＳネットワークのシステムブロードキャストメッセージの内容が、ＵＭＴＳの周波数の優先度が低いということを示すようになる場合がある。その場合、ＵＥがＬＴＥを再び選択する可能性が非常に高く、その結果、ピンポン再選択が発生する。
【課題を解決するための手段】
【０００５】
本発明の実施形態は、ＲＡＴ間ネットワーク、アクセスネットワークデバイス、及びＵＥにおいて、異なるＲＡＴのネットワーク間でブロードキャストメッセージが一致することを保証し、ＵＥのピンポン再選択を防ぐことができる通信方法を提供する。
【０００６】
本発明の実施形態の第１の態様は、ＲＡＴ間ネットワークにおける通信方法を提供し、ＲＡＴ間ネットワークは第１ＲＡＴのソースネットワーク及び第２ＲＡＴのターゲットネットワークを含み、この方法は、ソースネットワーク内のユーザ機器（ＵＥ）がターゲットネットワークを再選択する処理に適用され、この方法は、
ソースアクセスネットワークデバイスによって一時的優先順位リストを生成するステップであって、一時的優先順位リストはソースネットワークの周波数、ターゲットネットワークの周波数、ソースネットワークの周波数の優先度、及びターゲットネットワークの周波数の優先度を含み、ソースアクセスネットワークデバイスはＵＥがソースネットワークにアクセスできるようにするデバイスである、ステップと、
ソースアクセスネットワークデバイスによって一時的優先順位リストをターゲットアクセスネットワークデバイスに送信するステップであって、ターゲットアクセスネットワークデバイスはＵＥがターゲットネットワークにアクセスできるようにするデバイスである、ステップと、
ソースアクセスネットワークデバイスによって一時的優先順位リストをＵＥに送信するステップと
を含む。
【０００７】
本発明の実施形態の第１の態様に関連して、本発明の実施形態の第１の態様の第１の実装方法では、一時的優先順位リストにおいて、ソースネットワークの周波数の優先度は、ターゲットネットワークの周波数の優先度よりも低い。
【０００８】
本発明の実施形態の第１の態様又は第１の態様の第１の実装方法に関連して、本発明の実施形態の第１の態様の第２の実装方法では、ソースアクセスネットワークデバイスによって一時的優先順位リストを生成する前に、この方法は、
ソースアクセスネットワークデバイスによってサービングセルの負荷を検出するステップであって、サービングセルはソースネットワークのセルであり、そのセル上に現在ＵＥがキャンプしている、ステップと、
サービングセルの負荷が第１負荷しきい値を超えた場合にソースアクセスネットワークデバイスによってソースネットワークの負荷を検出するステップと、
ソースネットワークの負荷が第２負荷しきい値を超えた場合に一時的優先順位リストを生成するステップを起動するステップと
をさらに含む。
【０００９】
本発明の実施形態の第１の態様の第２の実装方法に関連して、本発明の実施形態の第１の態様の第３の実装方法では、ソースアクセスネットワークデバイスによってソースネットワークの負荷を検出するための方法は、具体的には、
ソースアクセスネットワークデバイスによってサービングセルの検出済み負荷に従ってソースネットワークの負荷を推定するステップ、又は
ソースアクセスネットワークデバイスによってソースネットワーク内のすべての周波数を使用するセルの負荷をマスタ制御ノードから取得し、ソースネットワーク内のすべての周波数を使用するセルの負荷を合計するステップを含む。
【００１０】
本発明の実施形態の第１の態様の第２の実装方法に関連して、本発明の実施形態の第１の態様の第４の実装方法では、ソースネットワークの負荷が第２負荷しきい値よりも大きいことが検出された後に、一時的優先順位リストを生成するステップを起動する前に、この方法は、
ソースアクセスネットワークデバイスによって負荷情報取得要求を異なるＲＡＴの別のネットワークに送信するステップと、
ソースアクセスネットワークデバイスによって、異なるＲＡＴの別のネットワークからフィードバックされた負荷情報を受信するステップと、その負荷情報に従って、異なるＲＡＴのネットワークであり、第３負荷しきい値よりも小さい負荷を持つネットワークを検索するステップと、異なるＲＡＴのネットワークであり、第３負荷しきい値よりも小さい負荷を持つネットワークをターゲットネットワークとして使用するステップと
をさらに含む。
【００１１】
本発明の実施形態の第１の態様又は第１の態様の第１の実装方法に関連して、本発明の実施形態の第１の態様の第５の実装方法では、ソースアクセスネットワークデバイスによって一時的優先順位リストをターゲットアクセスネットワークデバイスに送信する方法は、具体的には、
ソースアクセスネットワークデバイスによって無線アクセスネットワーク情報管理（ＲＩＭ）手順を使用して一時的優先順位リストをターゲットアクセスネットワークデバイスに送信するステップ、又は
一時的優先順位リストをマスタ制御ノードを介してターゲットアクセスネットワークデバイスに送信するために、ソースアクセスネットワークデバイスによって一時的優先順位リストをマスタ制御ノードに送信するステップを含む。
【００１２】
本発明の実施形態の第１の態様の第５の実装方法に関連して、本発明の実施形態の第１の態様の第６の実装方法では、ソースアクセスネットワークデバイスによって一時的優先順位リストをＵＥに送信した後に、この方法は、
ソースアクセスネットワークデバイスによってソースネットワークの負荷を引き続き検出するステップと、
ソースアクセスネットワークデバイスが、ソースネットワークの負荷が第２負荷しきい値よりも小さいことを検出した場合に、ソースアクセスネットワークデバイスによってＲＩＭ手順を使用して第１の情報をターゲットアクセスネットワークデバイスに送信するステップであって、第１の情報は、ソースアクセスネットワークデバイスと同様に元の優先順位リストをＵＥに送信するようにターゲットアクセスネットワークデバイスに指示するために使用される、ステップ、又は
ソースアクセスネットワークデバイスが、ソースネットワークの負荷が第２負荷しきい値よりも小さいことを検出した場合に、第２の情報をマスタ制御ノードを介してターゲットアクセスネットワークデバイスに送信するために、ソースアクセスネットワークデバイスによって第２の情報をマスタ制御ノードに送信するステップであって、第２の情報は、ソースアクセスネットワークデバイスと同様に元の優先順位リストをＵＥに送信するようにターゲットアクセスネットワークデバイスに指示するために使用される、ステップと
をさらに含む。
【００１３】
本発明の実施形態の第２の態様は、ＲＡＴ間ネットワークにおいて別の通信方法を提供し、ＲＡＴ間ネットワークは第１ＲＡＴのソースネットワーク及び第２ＲＡＴのターゲットネットワークを含み、この方法はソースネットワーク内のユーザ機器（ＵＥ）がターゲットネットワークを再選択する処理に適用され、この方法は、
ターゲットアクセスネットワークデバイスによって、ソースアクセスネットワークデバイスによって送信された一時的優先順位リストを受信するステップであって、一時的優先順位リストはソースネットワークの周波数、ターゲットネットワークの周波数、ソースネットワークの周波数の優先度、及びターゲットネットワークの周波数の優先度を含み、ソースアクセスネットワークデバイスはＵＥがソースネットワークにアクセスできるようにするデバイスであり、ターゲットアクセスネットワークデバイスはＵＥがターゲットネットワークにアクセスできるようにするデバイスである、ステップと、
ターゲットアクセスネットワークデバイスによって一時的優先順位リストをＵＥに送信するステップと
を含む。
【００１４】
本発明の実施形態の第２の態様に関連して、本発明の実施形態の第２の態様の第１の実装方法では、一時的優先順位リストにおいて、ソースネットワークの周波数の優先度は、ターゲットネットワークの周波数の優先度よりも低い。
【００１５】
本発明の実施形態の第３の態様は、ＲＡＴ間ネットワークにおいて別の通信方法を提供し、ＲＡＴ間ネットワークは第１ＲＡＴのソースネットワーク及び第２ＲＡＴのターゲットネットワークを含み、この方法は、ソースネットワーク内のユーザ機器（ＵＥ）がターゲットネットワークを再選択する処理に適用され、この方法は、
ＵＥによって、ソースアクセスネットワークデバイスによって送信された一時的優先順位リストを受信するステップであって、一時的優先順位リストはソースネットワークの周波数、ターゲットネットワークの周波数、ソースネットワークの周波数の優先度、及びターゲットネットワークの周波数の優先度を含み、ソースアクセスネットワークデバイスはＵＥがソースネットワークにアクセスできるようにするデバイスである、ステップと、
ＵＥによって一時的優先順位リスト内の周波数の優先度に従ってネットワーク再選択を実行するステップと、
ＵＥがターゲットネットワークを再選択してアクセスした場合に、ターゲットアクセスネットワークデバイスがソースアクセスネットワークデバイスから受信してＵＥに送信した一時的優先順位リストを受信するステップであって、ターゲットアクセスネットワークデバイスはＵＥがターゲットネットワークにアクセスできるようにするデバイスである、ステップと
を含む。
【００１６】
本発明の実施形態の第３の態様に関連して、本発明の実施形態の第３の態様の第１の実装方法では、一時的優先順位リストにおいて、ソースネットワークの周波数の優先度はターゲットネットワークの周波数の優先度よりも低い。
【００１７】
本発明の実施形態の第４の態様は、アクセスネットワークデバイスを提供し、アクセスネットワークデバイスはユーザ機器（ＵＥ）がソースネットワークにアクセスできるようにするデバイスであり、アクセスネットワークデバイスは、
一時的優先順位リストを生成するように構成された優先順位リスト生成ユニットであって、一時的優先順位リストはソースネットワークの周波数、ターゲットネットワークの周波数、ソースネットワークの周波数の優先度、及びターゲットネットワークの周波数の優先度を含む、優先順位リスト生成ユニットと、
一時的優先リストをターゲットアクセスネットワークデバイスに送信するように構成された送信ユニットであって、ターゲットアクセスネットワークデバイスは、ＵＥがターゲットネットワークにアクセスし、一時的優先順位リストをＵＥに送信できるようにするデバイスである、送信ユニットと
を含む。
【００１８】
本発明の実施形態の第４の態様に関連して、本発明の実施形態の第４の態様の第１の実装方法では、一時的優先順位リストにおいて、ソースネットワークの周波数の優先度はターゲットネットワークの周波数の優先度よりも低い。
【００１９】
本発明の実施形態の第４の態様又は第４の態様の第１の実施方法に関連して、本発明の実施形態の第４の態様の第２の実装方法では、アクセスネットワークデバイスは、
サービングセルの負荷を検出することであって、サービングセルはソースネットワークのセルであり、そのセル上に現在ＵＥがキャンプしている、検出することと、サービングセルの負荷が第１負荷しきい値よりも大きい場合にソースネットワークの負荷を検出することと、ソースネットワークの負荷が第２負荷しきい値よりも大きい場合に優先順位リスト生成ユニットを起動して一時的優先順位リストを生成することとを行うように構成された負荷検出ユニットをさらに含む。
【００２０】
本発明の実施形態の第４の態様の第２の実装方法に関連して、本発明の実施形態の第４の態様の第３の実装方法では、負荷検出ユニットによってソースネットワークの負荷を検出するための方法は、具体的には、
負荷検出ユニットによってサービングセルの検出済み負荷に従ってソースネットワークの負荷を推定するステップ、又は
負荷検出ユニットによってソースネットワーク内のすべての周波数を使用するセルの負荷をマスタ制御ノードから取得し、ソースネットワーク内のすべての周波数を使用するセルの負荷を合計するステップを含む。
【００２１】
本発明の実施形態の第４の態様の第２の実装方法に関連して、本発明の実施形態の第４の態様の第４の実装方法では、ソースネットワークの負荷が第２負荷しきい値よりも大きいことが検出された後に、優先順位リスト生成ユニットを起動して一時的優先順位リストを生成する前に、負荷検出ユニットが、
負荷情報取得要求を異なるＲＡＴの別のネットワークに送信し、異なるＲＡＴの別のネットワークからフィードバックされた負荷情報を受信し、その負荷情報に従って、異なるＲＡＴのネットワークであり、第３負荷しきい値よりも小さい負荷を持つネットワークを検索し、異なるＲＡＴのネットワークであり、第３負荷しきい値よりも小さい負荷を持つネットワークをターゲットネットワークとして使用するようにさらに構成される。
【００２２】
本発明の実施形態の第４の態様又は第４の態様の第１の実装方法に関連して、本発明の実施形態の第４の態様の第５の実装方法では、送信ユニットによって一時的優先順位リストをターゲットアクセスネットワークデバイスに送信するための方法は、具体的には、
送信ユニットによって無線アクセスネットワーク情報管理（ＲＩＭ）手順を使用して一時的優先順位リストをターゲットアクセスネットワークデバイスに送信するステップ、又は
一時的優先順位リストをマスタ制御ノードを介してターゲットアクセスネットワークデバイスに送信するために、送信ユニットによって一時的優先順位リストをマスタ制御ノードに送信するステップを含む。
【００２３】
本発明の実施形態の第４の態様の第５の実装方法に関連して、本発明の実施形態の第４の態様の第６の実装方法では、負荷検出ユニットは、
送信ユニットが一時的優先順位リストをＵＥに送信した後にソースネットワークの負荷を引き続き検出するようにさらに構成され、
送信ユニットは、
負荷検出ユニットがソースネットワークの負荷が第２負荷しきい値よりも小さいことを検出した場合に、ＲＩＭ手順を使用して第１の情報をターゲットアクセスネットワークデバイスに送信することであって、第１の情報は、ソースアクセスネットワークデバイスと同様に元の優先順位リストをＵＥに送信するようにターゲットアクセスネットワークデバイスに指示するために使用される、送信すること、又は
負荷検出ユニットがソースネットワークの負荷が第２負荷しきい値よりも少ないことを検出した場合に、第２の情報をマスタ制御ノードを介してターゲットアクセスネットワークデバイスに送信するために、第２の情報をマスタ制御ノードに送信することであって、第２の情報は、ソースアクセスネットワークデバイスと同様に元の優先順位リストをＵＥに送信するようにターゲットアクセスネットワークデバイスに指示するために使用される、送信すること
を行うようにさらに構成される。
【００２４】
本発明の実施形態の第５の態様は、別のアクセスネットワークデバイスを提供し、アクセスネットワークデバイスはユーザ機器（ＵＥ）がターゲットネットワークにアクセスできるようにするデバイスであり、アクセスネットワークデバイスは、
ソースアクセスネットワークデバイスによって送信された一時優先順位リストを受信するように構成された受信ユニットであって、一時優先順位リストはソースネットワークの周波数、ターゲットネットワークの周波数、ソースネットワークの周波数の優先度、及びターゲットネットワークの周波数の優先度を含み、ソースアクセスネットワークデバイスはＵＥがソースネットワークにアクセスできるようにするデバイスである、受信ユニットと、
一時優先順位リストをＵＥに送信するように構成された送信ユニットと
を含む。
【００２５】
本発明の実施形態の第５の態様に関連して、本発明の実施形態の第５の態様の第１の実装方法では、一時的優先順位リストにおいて、ソースネットワークの周波数の優先度は、ターゲットネットワークの周波数の優先度よりも低い。
【００２６】
本発明の実施形態の第６の態様はユーザ機器（ＵＥ）を提供し、ユーザ機器ＵＥは、
ソースアクセスネットワークデバイスによって送信された一時優先順位リストを受信するように構成された受信ユニットであって、一時優先順位リストはソースネットワークの周波数、ターゲットネットワークの周波数、ソースネットワークの周波数の優先度、及びターゲットネットワークの周波数の優先度を含み、ソースアクセスネットワークデバイスはＵＥがソースネットワークにアクセスできるようにするデバイスである、受信ユニットと、
一時的優先順位リスト内の周波数の優先度に従ってネットワーク再選択を実行するように構成されたネットワーク再選択ユニットと
を含み、
受信ユニットは、ネットワーク再選択ユニットがターゲットネットワークを再選択してアクセスした場合に、ターゲットアクセスネットワークデバイスがソースアクセスネットワークデバイスから受信してＵＥに送信した一時的優先順位リストを受信するようにさらに構成され、ターゲットアクセスネットワークデバイスはＵＥがターゲットネットワークにアクセスできるようにするデバイスである。
【００２７】
本発明の実施形態の第６の態様に関連して、本発明の実施形態の第６の態様の第１の実装方法では、一時的優先順位リストにおいて、ソースネットワークの周波数の優先度は、ターゲットネットワークの周波数の優先度よりも低い。
【００２８】
本発明の実施形態の第７の態様は、別のアクセスネットワークデバイスを提供し、アクセスネットワークデバイスはユーザ機器（ＵＥ）がソースネットワークにアクセスできるようにするデバイスであり、アクセスネットワークデバイスは、
一時的優先順位リストを生成するように構成されたプロセッサであって、一時的優先順位リストはソースネットワークの周波数、ターゲットネットワークの周波数、ソースネットワークの周波数の優先度、及びターゲットネットワークの周波数の優先度を含む、プロセッサと、
一時的優先順位リストをターゲットアクセスネットワークデバイスに送信するように構成されたトランスミッタであって、ターゲットアクセスネットワークデバイスはＵＥがターゲットネットワークにアクセスして一時的優先順位リストをＵＥに送信できるようにするデバイスである、トランスミッタと
を含む。
【００２９】
本発明の実施形態の第７の態様に関連して、本発明の実施形態の第７の態様の第１の実装方法では、一時的優先順位リストにおいて、ソースネットワークの周波数の優先度は、ターゲットネットワークの周波数の優先度よりも低い。
【００３０】
本発明の実施形態の第７の態様又は第７の態様の第１の実施方法に関連して、本発明の実施形態の第７の態様の第２の実装方法では、プロセッサは、
サービングセルの負荷を検出することであって、サービングセルはソースネットワークのセルであり、そのセル上に現在ＵＥがキャンプしている、検出することと、サービングセルの負荷が第１負荷しきい値よりも大きい場合にソースネットワークの負荷を検出することと、ソースネットワークの負荷が第２負荷しきい値よりも大きい場合に生成ユニットによって一時的優先順位リストを生成することとを行うようにさらに構成される。
【００３１】
本発明の実施形態の第７の態様の第２の実施方法に関連して、本発明の実施形態の第７の態様の第３の実装方法では、プロセッサによってソースネットワークの負荷を検出するための方法は、具体的には、
プロセッサによってサービングセルの検出済み負荷に従ってソースネットワークの負荷を推定するステップ、又は
プロセッサによってソースネットワーク内のすべての周波数を使用するセルの負荷をマスタ制御ノードから取得し、ソースネットワーク内のすべての周波数を使用するセルの負荷を合計するステップを含む。
【００３２】
本発明の実施形態の第７の態様の第２の実施方法に関連して、本発明の実施形態の第７の態様の第４の実装方法では、ソースネットワークの負荷が第２負荷しきい値よりも大きいことを検出した後に、一時的優先順位リストを生成する前に、プロセッサが、
負荷情報取得要求を異なるＲＡＴの別のネットワークに送信し、異なるＲＡＴの別のネットワークからフィードバックされた負荷情報を受信し、その負荷情報に従って、異なるＲＡＴのネットワークであり第３負荷しきい値よりも小さい負荷を持つネットワークを検索し、異なるＲＡＴのネットワークであり第３負荷しきい値よりも小さい負荷を持つネットワークをターゲットネットワークとして使用するようにさらに構成される。
【００３３】
本発明の実施形態の第７の態様又は第７の態様の第１の実装方法に関連して、本発明の実施形態の第７の態様の第５の実装方法では、トランスミッタによって一時的優先順位リストをターゲットアクセスネットワークデバイスに送信するための方法は、具体的には、
トランスミッタによって無線アクセスネットワーク情報管理（ＲＩＭ）手順を使用して一時的優先順位リストをターゲットアクセスネットワークデバイスに送信するステップ、又は
一時的優先順位リストをマスタ制御ノードを介してターゲットアクセスネットワークデバイスに送信するために、トランスミッタによって一時的優先順位リストをマスタ制御ノードに送信するステップを含む。
【００３４】
本発明の実施形態の第７の態様の第５の実装方法に関連して、本発明の実施形態の第７の態様の第６の実装方法では、プロセッサは、
トランスミッタが一時的優先順位リストをＵＥに送信した後にソースネットワークの負荷を引き続き検出するようにさらに構成され、
トランスミッタは、
プロセッサがソースネットワークの負荷が第２負荷しきい値よりも小さいことを検出した場合に、ＲＩＭ手順を使用して第１の情報をターゲットアクセスネットワークデバイスに送信することであって、第１の情報は、ソースアクセスネットワークデバイスと同様に元の優先順位リストをＵＥに送信するようにターゲットアクセスネットワークデバイスに指示するために使用される、送信すること、又は
プロセッサがソースネットワークの負荷が第２負荷しきい値よりも小さいことを検出した場合に、第２の情報をマスタ制御ノードを介してターゲットアクセスネットワークデバイスに送信するために、第２の情報をマスタ制御ノードに送信することであって、第２の情報は、ソースアクセスネットワークデバイスと同様に元の優先順位リストをＵＥに送信するようにターゲットアクセスネットワークデバイスに指示するために使用される、送信すること
を行うようにさらに構成される。
【００３５】
本発明の実施形態の第８の態様は別のアクセスネットワークデバイスを提供し、アクセスネットワークデバイスはユーザ機器（ＵＥ）がターゲットネットワークにアクセスできるようにするデバイスであり、アクセスネットワークデバイスは、
ソースアクセスネットワークデバイスによって送信された一時的優先順位リストを受信するよう構成されたレシーバであって、一時的優先順位リストはソースネットワークの周波数、ターゲットネットワークの周波数、ソースネットワークの周波数の優先度、及びターゲットネットワークの周波数の優先度を含み、ソースアクセスネットワークデバイスはＵＥがソースネットワークにアクセスできるようにするデバイスである、レシーバと、
一時的優先順位リストをＵＥに送信するように構成されたトランスミッタと
を含む。
【００３６】
本発明の実施形態の第８の態様に関連して、本発明の実施形態の第８の態様の第１の実装方法では、一時的優先順位リストにおいて、ソースネットワークの周波数の優先度は、ターゲットネットワークの周波数の優先度よりも低い。
【００３７】
本発明の実施形態の第９の態様は別のユーザ機器（ＵＥ）を提供し、ユーザ機器（ＵＥ）は、
ソースアクセスネットワークデバイスによって送信された一時的優先順位リストを受信するように構成されたレシーバであって、一時的優先順位リストはソースネットワークの周波数、ターゲットネットワークの周波数、ソースネットワークの周波数の優先度、及びターゲットネットワークの周波数の優先度を含み、ソースアクセスネットワークデバイスはＵＥがソースネットワークにアクセスできるようにするデバイスである、レシーバと、
一時的優先順位リスト内の周波数の優先度に従ってネットワーク再選択を実行するように構成されたプロセッサと
を含み、
レシーバは、
プロセッサがターゲットネットワークを再選択してアクセスした場合に、ターゲットアクセスネットワークデバイスがソースアクセスネットワークデバイスから受信してＵＥに送信した一時的優先順位リストを受信するようにさらに構成され、ターゲットアクセスネットワークデバイスはＵＥがターゲットネットワークにアクセスできるようにするデバイスである。
【００３８】
本発明の実施形態の第９の態様に関連して、本発明の実施形態の第９の態様の第１の実装方法では、一時的優先順位リストにおいて、ソースネットワークの周波数の優先度は、ターゲットネットワークの周波数の優先度よりも低い。
【００３９】
前述の技術的解決策から、本発明の実施形態には以下の利点があることを知ることができる。
【００４０】
本発明の実施形態では、ソースアクセスネットワークデバイスが一時的優先順位リストを生成し、ここで、ソースアクセスネットワークデバイスはＵＥがソースネットワークにアクセスできるようにするデバイスであり、ソースアクセスネットワークデバイスが一時的優先順位リストをターゲットアクセスネットワークデバイスに送信し、ここで、ターゲットアクセスネットワークデバイスはＵＥがターゲットネットワークにアクセスできるようにするデバイスであり、ソースアクセスネットワークデバイスが一時的優先順位リストをＵＥに送信する。本発明の実施形態では、ソースアクセスネットワークデバイスが、生成された一時的優先順位リストをターゲットアクセスネットワークデバイスに送信して、ソースアクセスネットワークデバイスとターゲットアクセスネットワークデバイスの両方が一時的優先順位リストをＵＥに送信できるようにする。つまり、異なるＲＡＴのネットワーク内のブロードキャストメッセージが一致することが保証される。ＵＥがどのネットワークに存在するかに関わらず、ＵＥは常に最も優先度の高い一意の周波数を、ネットワークによってブロードキャストされた優先順位リストから選択することができ、それによって、その周波数に対応するセルを再選択し、ピンポン再選択を防ぐ。
【００４１】
本発明の実施形態又は従来技術における技術的解決策をより明確に説明するために、以下では、実施形態又は従来技術を説明するために必要な添付の図面について簡単に説明する。以下で説明される添付の図面は、単に本発明の一部の実施形態を示しており、一般的な当業者が創造的な努力を行うことなくこれらの添付の図面からさらに他の図面を導くことができるということは明らかである。
【図面の簡単な説明】
【００４２】
【図１】本発明に記載されたＲＡＴ間ネットワークにおける通信方法の一実施形態の概略図である。
【図２】本発明に記載されたＲＡＴ間ネットワークにおける通信方法の別の実施形態の概略図である。
【図３】本発明に記載されたＲＡＴ間ネットワークにおける通信方法の別の実施形態の概略図である。
【図４】本発明に記載されたＲＡＴ間ネットワークにおける通信方法の別の実施形態の概略図である。
【図５】本発明に記載されたアクセスネットワークデバイスの一実施形態の概略図である。
【図６】本発明に記載されたアクセスネットワークデバイスの別の実施形態の概略図である。
【図７】本発明に記載されたアクセスネットワークデバイスの別の実施形態の概略図である。
【図８】本発明に記載されたユーザ機器の一実施形態の概略図である。
【図９】本発明に記載されたアクセスネットワークデバイスの別の実施形態の概略図である。
【図１０】本発明に記載されたアクセスネットワークデバイスの別の実施形態の概略図である。
【図１１】本発明に記載されたユーザ機器の別の実施形態の概略図である。
【発明を実施するための形態】
【００４３】
以下では、本発明の実施形態における添付の図面を参照して、本発明の実施形態での技術的解決策について説明する。説明される実施形態が、本発明のすべての実施形態ではなく、一部にすぎないということは明らかである。本発明の実施形態に基づいて、創造的な努力を行うことなく一般的な当業者によって取得された他のすべての実施形態は、本発明の保護の範囲に含まれるものとする。
【００４４】
本発明の実施形態は、ＲＡＴ間ネットワーク、アクセスネットワークデバイス、及びユーザ機器において、異なるＲＡＴのネットワーク内のブロードキャストメッセージが一致することを保証し、ＵＥのピンポン再選択を防ぐことができる通信方法を提供する。
【００４５】
図１を参照すると、図１は、本発明のＲＡＴ間ネットワークにおける通信方法の一実施形態を示している。この実施形態では、ＲＡＴ間ネットワークにおける通信方法は、ソースアクセスネットワークデバイスの視点から説明される。この実施形態における方法は、以下を含む。
【００４６】
１０１．ソースアクセスネットワークデバイスが一時的優先順位リストを生成する。
【００４７】
この実施形態におけるＲＡＴ間ネットワークは、第１ＲＡＴのソースネットワーク及び第２ＲＡＴのターゲットネットワークを含み、この実施形態における方法は、ソースネットワーク内のＵＥがターゲットネットワークを再選択する処理に適用され、ソースアクセスネットワークデバイスはＵＥがソースネットワークにアクセスできるようにするデバイスである。
【００４８】
ソースアクセスネットワークデバイスは一時的優先順位リストを生成し、一時的優先順位リストはソースネットワークの周波数、ターゲットネットワークの周波数、ソースネットワークの周波数の優先度、及びターゲットネットワークの周波数の優先度を含む。
【００４９】
１０２．ソースアクセスネットワークデバイスが一時的優先順位リストをターゲットアクセスネットワークデバイスに送信する。
【００５０】
ターゲットアクセスネットワークデバイスは、ＵＥがターゲットネットワークにアクセスできるようにするデバイスである。ソースアクセスネットワークデバイスは、生成された一時的優先順位リストをターゲットアクセスネットワークデバイスに送信する。
【００５１】
１０３．ソースアクセスネットワークデバイスが一時的優先順位リストをＵＥに送信する。
【００５２】
ソースアクセスネットワークデバイスは、一時的優先順位リストをターゲットアクセスネットワークデバイスに送信した後に、ＵＥが一時的優先順位リストに従ってネットワーク再選択を実行するように、一時的優先順位リストをＵＥに送信する。一時的優先順位リストをＵＥに送信する具体的な方法は、ブロードキャストにすることができる。
【００５３】
ＵＥがターゲットネットワークを再選択した後に、ターゲットアクセスネットワークデバイスは、ソースアクセスネットワークデバイスから受信した一時的優先順位リストをＵＥに送信する。したがって、ＵＥがソースネットワーク又はターゲットネットワークのどちらに存在するかに関わらず、ＵＥは同じネットワークブロードキャストメッセージを受信する。
【００５４】
この実施形態におけるソースアクセスネットワークデバイス及びターゲットアクセスネットワークデバイスは、ノードＢ（ＮｏｄｅＢ）、進化型ノードＢ（ｅｖｏｌｖｅｄ  ＮｏｄｅＢ，ｅＮＢ）、ホーム基地局（Ｈｏｍｅ  ＮｏｄｅＢ，ＨＮＢ）／（Ｈｏｍｅ  ｅＮｏｄｅＢ，ＨｅＮＢ）、無線ネットワークコントローラ（ｒａｄｉｏ  ｎｅｔｗｏｒｋ  ｃｏｎｔｒｏｌｌｅｒ，ＲＮＣ）、基地局コントローラ（Ｂａｓｅ  Ｓｔａｔｉｏｎ  Ｃｏｎｔｒｏｌｌｅｒ，ＢＳＣ）、及び基地局（Ｂａｓｅ  Ｔｒａｎｓｃｅｉｖｅｒ  Ｓｔａｔｉｏｎ，ＢＴＳ）を含むが、これらに限定されない。さらに、ソースアクセスネットワークデバイス及びターゲットアクセスネットワークデバイスは、同じ種類のデバイス（例えば、同じ基地局内の異なるベースバンドボード、同じベースバンドボード上の異なるプロセッサ、又は同様のもの）にすることができ、異なるデバイスにすることもできる。
【００５５】
この実施形態では、ソースアクセスネットワークデバイスは、ソースアクセスネットワークデバイスとターゲットアクセスネットワークデバイスの両方が一時的優先順位リストをＵＥに送信できるように、生成された一時的優先順位リストをターゲットアクセスネットワークデバイスに送信する。これにより、異なるＲＡＴのネットワーク内のブロードキャストメッセージが一致することを保証する。したがって、ＵＥがどのネットワークに存在するかに関わらず、ＵＥは常に最も優先度の高い一意の周波数を、ネットワークによってブロードキャストされた優先順位リストから選択することができ、それによって、その周波数に対応するセルを再選択し、ピンポン再選択を防ぐ。
【００５６】
理解を容易にするために、以下では、具体的な例を用いて本発明の一実施形態でのＲＡＴ間ネットワークにおける通信方法について説明する。図２を参照すると、本発明のＲＡＴ間ネットワークにおける通信方法の別の実施形態は、以下を含む。
【００５７】
２０１．ソースアクセスネットワークデバイスが、サービングセルの負荷を検出する。
【００５８】
ＲＡＴ間ネットワークのネットワークのシナリオでは、ＵＥの電源が投入された後に、ＵＥがネットワークに登録され、この登録が成功した後に、ＵＥがそのネットワークによってカバーされるセル上にキャンプする。ここで、ＵＥが現在存在するネットワークをソースネットワークと呼び、ＵＥがソースネットワーク内でキャンプするセルをサービングセルと呼ぶ。ＵＥがサービングセル上にキャンプした後に、ソースアクセスネットワークデバイスは、サービングセルのリソース使用状況又はサービングセルにアクセスしているユーザの数を検出することによって、サービングセルの負荷を検出する。ソースアクセスネットワークデバイスは、ＵＥがソースネットワークにアクセスできるようにするデバイスである。
【００５９】
２０２．サービングセルの負荷が第１負荷しきい値よりも大きいことが検出された場合、ソースアクセスネットワークデバイスが、ソースネットワークの負荷を検出する。
【００６０】
ソースアクセスネットワークデバイスは、サービングセルの負荷容量に従って、サービングセルの負荷しきい値（つまり、第１負荷しきい値）を事前に設定できる。サービングセルの負荷が第１負荷しきい値よりも大きいことが検出された場合、ソースアクセスネットワークデバイスは、ソースネットワークの負荷を引き続き検出する。
【００６１】
サービングセルの負荷が重すぎる場合、ソースアクセスネットワークデバイスは、さらにソースネットワーク内の別のセルの負荷を検出する必要がある。ソースネットワーク内の別のセルの負荷が重くない場合は、ＵＥをソースネットワーク内の別のセルに移動することができる。ソースネットワーク内の他のすべてのセルの負荷が重すぎる場合、ソースアクセスネットワークデバイスは、負荷の移動先になることができるターゲットネットワークを検索する必要がある。
【００６２】
つまり、サービングセルの負荷が重すぎる場合、ターゲットネットワークを検索する必要があるかどうかは、ソースネットワークの負荷によって決まる。
【００６３】
ソースネットワークが周波数内ネットワーク内にあり、ソースネットワーク内で負荷分散ポリシーが有効化されている（つまり、ソースネットワーク内のセルの負荷が同じ瞬間にほぼ同じになる）場合、ソースアクセスネットワークデバイスによって検出されたサービングセルの負荷に従って、ソースアクセスネットワークデバイスによってソースネットワークの負荷を推定できる。ソースネットワークが周波数間ネットワーク内にある場合、ソースネットワーク内のさまざまな周波数を使用するセルの負荷に従って、ソースネットワークの負荷を共同で決定する必要がある。その場合、ソースアクセスネットワークデバイスは、ソースネットワーク内のさまざまな周波数を使用するセルの負荷をマスタ制御ノードから取得し、次にソースネットワーク内のさまざまな周波数を使用するセルの負荷を合計して、ソースネットワークの負荷を取得できる。
【００６４】
２０３．ソースネットワークの負荷が第２負荷しきい値よりも大きいことが検出された場合、ソースアクセスネットワークデバイスは、負荷の移動先になるターゲットネットワークを検索する。
【００６５】
ソースアクセスネットワークデバイスは、ソースネットワークのネットワーク容量に従って、ソースネットワークの第２負荷しきい値を事前に設定できる。ソースアクセスネットワークデバイスが、ソースネットワークの負荷が第２負荷しきい値よりも大きいことを検出した場合、それは、ソースネットワーク内のすべてのセルが負荷制限に達し、それ以上多くのＵＥにサービスを提供できないということを示している。
【００６６】
ソースネットワークの負荷が第２負荷しきい値よりも大きい場合、それは、ＵＥのサービングセルが負荷制限に達し、負荷の移動先になることができるセルがソースネットワーク内に存在しないということを示している。ソースアクセスネットワークデバイスは、負荷の転送先になるターゲットネットワークを検索する必要がある。ターゲットネットワークを検索する具体的な処理は、次のとおりである。
【００６７】
ソースアクセスネットワークデバイスが、負荷情報取得要求を異なるＲＡＴの別のネットワークに送信し、異なるＲＡＴの別のネットワークからフィードバックされた負荷情報を受信し、異なるＲＡＴのネットワークであり、異なるＲＡＴの他のネットワーク内の第３負荷しきい値よりも小さい負荷を持つネットワークが存在するかどうかを決定する。ここで、第３負荷しきい値は、異なるＲＡＴの別のネットワークの負荷容量に従って、ソースアクセスネットワークデバイスによって事前に設定できるか、又は異なるＲＡＴの別のネットワークによって事前に設定できる。
【００６８】
異なるＲＡＴのネットワークであり、異なるＲＡＴの他のネットワーク内の第３負荷しきい値よりも小さい負荷を持つネットワークが存在する場合、ソースアクセスネットワークデバイスは、異なるＲＡＴのネットワークであり、第３負荷しきい値よりも小さい負荷を持つネットワークを、負荷の移動先になるターゲットネットワークとして使用する。
【００６９】
２０４．ソースアクセスネットワークデバイスが一時的優先順位リストを生成する。
【００７０】
ソースアクセスネットワークデバイスは、元の優先順位リスト内のソースネットワーク及びターゲットネットワークの各周波数の優先度及び位置を調整し、一時的優先順位リストを生成する。一時的優先順位リストにおいて、ソースネットワークの周波数の優先度は、ターゲットネットワークの周波数の優先度よりも低い。一時的優先順位リストを生成するための具体的な方法は、次のようにすることができる。
【００７１】
方法１：
元の優先順位リスト内のソースネットワーク及びターゲットネットワークの各周波数の優先度及び位置が再割り当てされ、一時的優先順位リストが生成される。
【００７２】
ソースネットワークがＬＴＥであり、ソースネットワークに唯一の周波数Ｌ１が存在し、ターゲットネットワークがＵＭＴＳであり、ターゲットネットワークにＵ２及びＵ３という２つの周波数が存在すると仮定する。元の優先順位リスト内の周波数Ｌ１、Ｕ２、及びＵ３の優先度は、それぞれ
Ｌ１（Ｐｒｉｏｒｉｔｙ  ７）、Ｕ２（Ｐｒｉｏｒｉｔｙ  ３）、及びＵ３（Ｐｒｉｏｒｉｔｙ  ５）である。
【００７３】
元の優先順位リストに記録されている３つの周波数の位置は、それぞれ
Ｌ１（Ｐ１）、Ｕ３（Ｐ２）、及びＵ２（Ｐ３）である。
【００７４】
ソースネットワークの周波数の優先度は、より低いレベルに調整され、ターゲットネットワークの周波数の優先度は、より高いレベルに調整され、ターゲットネットワークの複数の周波数の優先度間の元の相対的に高い／低い関係は維持される必要がある。調整後の一時的優先順位リスト内の周波数の優先度は、それぞれ
Ｌ１（Ｐｒｉｏｒｉｔｙ  ３）、Ｕ２（Ｐｒｉｏｒｉｔｙ  ５）、及びＵ３（Ｐｒｉｏｒｉｔｙ  ７）である。
【００７５】
それに応じて、３つの周波数の位置が調整され、調整後に生成された一時的優先順位リスト内の３つの周波数の位置は、それぞれ
Ｌ１（Ｐ３）、Ｕ２（Ｐ２）、及びＵ３（Ｐ１）である。
【００７６】
この場合、周波数Ｕ３が最高の優先度を持ち、ＵＥを、周波数Ｕ３に対応するセルに移動することができる。
【００７７】
方法２：
ソースネットワーク内のより高い負荷を持つ一部の周波数は直接無視され、一時的優先順位リストが生成される。
【００７８】
ソースネットワークが引き続きＬＴＥであり、ソースネットワークに２つの周波数Ｌ１及びＬ２が存在し、ＵＥが現在キャンプしているサービングセルの周波数がＬ１であり、ターゲットネットワークがＵＭＴＳであり、ターゲットネットワークに１つの周波数Ｕ３が存在すると仮定する。元の優先順位リスト内の周波数Ｌ１、Ｌ２、及びＵ３の優先度は、それぞれ
Ｌ１（Ｐｒｉｏｒｉｔｙ  ７）、Ｌ２（Ｐｒｉｏｒｉｔｙ  ６）、及びＵ３（Ｐｒｉｏｒｉｔｙ  ２）である。
【００７９】
元の優先順位リストに記録されている３つの周波数の位置は、それぞれ
Ｌ１（Ｐ１）、Ｌ２（Ｐ２）、及びＵ３（Ｐ３）である。
【００８０】
ソースアクセスネットワークデバイスは、ソースネットワーク内のより優先度の低い周波数Ｌ２を直接無視し、残りの周波数の優先度及び位置を調整する。調整後に生成された一時的優先順位リスト内の周波数の優先度及び位置は、それぞれ
Ｌ１（Ｐｒｉｏｒｉｔｙ  ２）、Ｕ３（Ｐｒｉｏｒｉｔｙ  ７）、及びＬ１（Ｐ３）、Ｕ３（Ｐ１）である。ＵＥは、一時的優先順位リストに含められない周波数Ｌ２が最低の優先度を持つということを、デフォルトで自動的に考慮する。
【００８１】
前述の方法２は、ソースネットワーク内に複数の周波数が存在する状況（つまり、周波数間ネットワークの状況）にのみ適用される。前述の方法１は、ソースネットワーク及びターゲットネットワークの周波数の数に関する要件をもたらすことがなく、任意の状況に適用される。
【００８２】
２０５．ソースアクセスネットワークデバイスが一時的優先順位リストをターゲットアクセスネットワークデバイスに送信する。
【００８３】
ソースアクセスネットワークデバイスは、生成された一時的優先順位リストをターゲットアクセスネットワークデバイスに送信する。一時的優先順位リストを送信する具体的な方法は、次のようにすることができる。
【００８４】
方法１：
一時的優先順位リストは、無線アクセスネットワーク情報管理（Ｒａｄｉｏ  Ａｃｃｅｓｓ  Ｎｅｔｗｏｒｋ  Ｉｎｆｏｒｍａｔｉｏｎ  Ｍａｎａｇｅｍｅｎｔ，ＲＩＭ）手順を使用してターゲットアクセスネットワークデバイスに送信される。
【００８５】
具体的には、ソースアクセスネットワークデバイスは、一時的優先順位リストを、ＲＩＭ情報であり、システム間再選択に関連しているシステム情報ブロック（Ｓｙｓｔｅｍ  Ｉｎｆｏｒｍａｔｉｏｎ  Ｂｌｏｃｋ，ＳＩＢ）に配置できる。元の優先順位リストは、一時的優先順位リストに置き換えられる。例えば、一時的優先順位リストは、ＵＭＴＳ地上波無線アクセスネットワークの隣接するセルのＳＩＢ  ６構造に配置され、ターゲットネットワークに送信される。
【００８６】
ソースアクセスネットワークデバイス及びターゲットアクセスネットワークデバイスは、ターゲットアクセスネットワークデバイスが新しい優先順位リスト（つまり、一時的優先順位リスト）を受信した後に、ターゲットアクセスネットワークデバイスが新しい優先順位リストをＵＥに送信すること、又はソースアクセスネットワークデバイスが一時的優先順位リストをターゲットアクセスネットワークデバイスに送信するときに、ソースアクセスネットワークデバイスが情報要素フィールドを追加することに事前に合意できる。この情報要素フィールドは、ターゲットアクセスネットワークデバイスが、一時的優先順位リストを受信した後に、一時的優先順位リストをＵＥに送信する必要があるということを示す。
【００８７】
加えて、ソースアクセスネットワークデバイスは、一時的優先順位リストをターゲットアクセスネットワークデバイスに送信する際に、一時的優先順位リストの有効期間を識別する別の情報要素フィールドをさらに追加できる。一時的優先順位リストのブロードキャスト時間が識別された有効期間を超えた場合、ソースアクセスネットワークデバイスとターゲットアクセスネットワークデバイスの両方が元の優先順位リストをＵＥに送信する。
【００８８】
方法２：
一時的優先順位リストをマスタ制御ノードを介してターゲットアクセスネットワークデバイスに送信するために、一時的優先順位リストがマスタ制御ノードに送信される。
【００８９】
具体的には、ソースアクセスネットワークデバイスは、負荷調整要求をマスタ制御ノードに送信し、ソースアクセスネットワークデバイスは、一時的優先順位リストの有効期間にマークを付けた後に、一時的優先順位リストをマスタ制御ノードに送信する。これにより、マスタ制御ノードが一時的優先順位リスト及び有効期間をターゲットアクセスネットワークデバイスに送信するようにする。マスタ制御ノードは、運用支援システム（ｏｐｅｒａｔｉｏｎ  ｓｕｐｐｏｒｔｉｎｇ  ｓｙｓｔｅｍ，ＯＳＳ）ネットワーク要素又はマスタ制御機能を備える別のノードにすることができる。
【００９０】
ソースアクセスネットワークデバイスは、前述の２つの方法のいずれか１つを使用して、一時的優先順位リストをターゲットアクセスネットワークデバイスに送信できる。これにより、ソースネットワークの負荷が第２負荷しきい値よりも大きい場合に、ソースアクセスネットワークデバイスとターゲットアクセスネットワークデバイスの両方が一時的優先順位リストをＵＥに送信するようにする。
【００９１】
２０６．ソースアクセスネットワークデバイスが一時的優先順位リストをＵＥに送信する。
【００９２】
ソースアクセスネットワークデバイスは、生成された一時的優先順位リストをターゲットアクセスネットワークデバイスに送信した後に、一時的優先順位リストをＵＥに送信する。一時的優先順位リストをＵＥに送信する具体的な方法は、ブロードキャストにすることができる。
【００９３】
２０７．ソースアクセスネットワークデバイスが、ソースネットワークの負荷を引き続き検出する。
【００９４】
ソースアクセスネットワークデバイスが一時的優先順位リストをＵＥに送信した後に、ソースアクセスネットワークデバイスは、ソースネットワークの負荷を引き続き検出する。
【００９５】
２０８．ソースネットワークの負荷が第２負荷しきい値よりも小さいことが検出された場合、ソースアクセスネットワークデバイスと同様に元の優先順位リストをＵＥに送信するようにターゲットアクセスネットワークデバイスに指示するために、情報をターゲットアクセスネットワークデバイスに送信する。
【００９６】
ソースアクセスネットワークデバイスは、ソースネットワークの負荷が正常なレベルに回復した（つまり、ソースネットワークの負荷が第２負荷しきい値よりも小さい）かどうかを検出する。
【００９７】
ソースアクセスネットワークデバイスが、ソースネットワークの負荷が第２負荷しきい値よりも小さいことを検出した場合、ソースアクセスネットワークデバイスは、ソースアクセスネットワークデバイスと同様に元の優先順位リストをＵＥに送信するようにターゲットアクセスネットワークデバイスに指示するために、情報をターゲットアクセスネットワークデバイスに送信する。
【００９８】
具体的には、ソースアクセスネットワークデバイスは、ＲＩＭ手順を使用して第１の情報をターゲットアクセスネットワークデバイスに送信できる。つまり、システム間再選択ＳＩＢを含まないＲＩＭメッセージをターゲットアクセスネットワークデバイスに送信する。ここで、このメッセージは、ソースアクセスネットワークデバイスと同様に元の優先順位リストをＵＥに送信するようにターゲットアクセスネットワークデバイスに指示するために使用される。
【００９９】
あるいは、ソースアクセスネットワークデバイスは、第２の情報をマスタ制御ノードを介してターゲットアクセスネットワークデバイスに送信するために、第２の情報をマスタ制御ノードに送信する。ここで、第２の情報は、ソースアクセスネットワークデバイスと同様に元の優先順位リストをＵＥに送信するようにターゲットアクセスネットワークデバイスに指示するために使用される。
【０１００】
この実施形態では、ソースアクセスネットワークデバイスは、サービングセルの負荷を検出し、サービングセルの負荷が第１負荷しきい値よりも大きい場合にソースネットワークの負荷を検出し、ソースネットワークの負荷が第２負荷しきい値よりも大きい場合に一時的優先順位リストを生成し、その一時的優先順位リストをターゲットアクセスネットワークデバイスに送信して、ソースアクセスネットワークデバイスとターゲットアクセスネットワークデバイスの両方が一時的優先順位リストをユーザ機器（ＵＥ）に送信できるようにする。この実施形態では、サービングセルの負荷が過剰に重く、ソースネットワーク内に負荷の移動先になることができる他のセルが存在しない場合、ソースアクセスネットワークデバイスは、生成された一時的優先順位リストをターゲットアクセスネットワークデバイスに送信して、ソースアクセスネットワークデバイス及びターゲットアクセスネットワークデバイスによってＵＥに送信される優先順位リストが、両方とも一時的優先順位リストになるようにする。加えて、ソースネットワークの負荷が正常なレベルに回復した場合、ソースアクセスネットワークデバイスは、ソースアクセスネットワークデバイスと同様に元の優先順位リストをＵＥに送信するようにターゲットアクセスネットワークデバイスに指示するための情報を送信する。これにより、ＵＥによって異なるＲＡＴのネットワークから取得された優先順位リストが同じになることを保証し、ＵＥのピンポン再選択を防ぐ。
【０１０１】
前述の２つの実施形態では、本発明のＲＡＴ間ネットワークにおける通信方法は、ソースアクセスネットワークデバイスの視点から説明されている。以下の実施形態では、本発明のＲＡＴ間ネットワークにおける通信方法について、ターゲットアクセスネットワークデバイスの視点から説明する。図３を参照すると、この実施形態における方法は、以下を含む。
【０１０２】
３０１．ターゲットアクセスネットワークデバイスが、ソースアクセスネットワークデバイスによって送信された一時的優先順位リストを受信する。
【０１０３】
ターゲットアクセスネットワークデバイスは、ＲＩＭ手順を使用して、又はマスタ制御ノード介してソースアクセスネットワークデバイスによって送信された一時的優先順位リストを受信する。ここで、一時的優先順位リストはソースネットワークの周波数、ターゲットネットワークの周波数、ソースネットワークの周波数の優先度、及びターゲットネットワークの周波数の優先度を含む。一時的優先順位リストにおいて、ソースネットワークの周波数の優先度は、ターゲットネットワークの周波数の優先度よりも低い。
【０１０４】
ソースアクセスネットワークデバイスは、ＵＥがソースネットワークにアクセスできるようにするデバイスであり、ターゲットアクセスネットワークデバイスは、ＵＥがターゲットネットワークにアクセスできるようにするデバイスである。
【０１０５】
３０２．ターゲットアクセスネットワークデバイスが一時的優先順位リストをＵＥに送信する。
【０１０６】
ターゲットアクセスネットワークデバイスは、ブロードキャストを用いて一時的優先順位リストをＵＥに送信できる。
【０１０７】
加えて、ターゲットアクセスネットワークデバイスが、ソースアクセスネットワークデバイスによって送信され、元の優先順位リストをＵＥに送信するようにターゲットアクセスネットワークデバイスに指示するために使用される情報を受信した場合、ターゲットアクセスネットワークデバイスは元の優先順位リストをＵＥに送信する。
【０１０８】
この実施形態では、ターゲットアクセスネットワークデバイスは、ソースアクセスネットワークデバイスによって送信された一時的優先順位リストを受信した後に、ソースアクセスネットワークデバイスと同様に、一時的優先順位リストをＵＥに送信する。ターゲットアクセスネットワークデバイスは、ソースアクセスネットワークデバイスによって送信され、元の優先順位リストをＵＥに送信するようにターゲットアクセスネットワークデバイスに指示するために使用される情報を受信した場合、ソースアクセスネットワークデバイスと同様に、元の優先順位リストをＵＥに送信する。これにより、異なるＲＡＴのネットワークのブロードキャストメッセージが一致することが保証されるため、ＵＥがどのネットワークに存在するかに関わらず、取得される優先順位リストが同じになり、ＵＥのピンポン再選択を防ぐ。
【０１０９】
以下では、本発明のＲＡＴ間ネットワークにおける通信方法について、ユーザ機器（ＵＥ）の視点から説明する。図４を参照すると、この実施形態における方法は、以下を含む。
【０１１０】
４０１．ＵＥが、ソースアクセスネットワークデバイスによって送信された一時的優先順位リストを受信する。
【０１１１】
この実施形態におけるＲＡＴ間ネットワークは、第１ＲＡＴのソースネットワーク及び第２ＲＡＴのターゲットネットワークを含み、ソースアクセスネットワークデバイスは、ＵＥがソースネットワークにアクセスできるようにするデバイスである。
【０１１２】
ＵＥによって受信された一時的優先順位リストは、ソースネットワークの周波数、ターゲットネットワークの周波数、ソースネットワークの周波数の優先度、及びターゲットネットワークの周波数の優先度を含む。一時的優先順位リストにおいて、ソースネットワークの周波数の優先度は、ターゲットネットワークの周波数の優先度よりも低い。
【０１１３】
４０２．ＵＥが、一時的優先順位リスト内の周波数の優先度に従ってネットワーク再選択を実行する。
【０１１４】
ＵＥは、一時的優先順位リストから最も優先度の高い周波数を検索し、最も優先度の高い周波数に対応するネットワーク（つまり、ターゲットネットワーク）を再選択する。
【０１１５】
４０３．ＵＥがターゲットネットワークを再選択してアクセスした場合、ＵＥは、ターゲットアクセスネットワークデバイスによって送信された一時的優先順位リストを受信する。
【０１１６】
ＵＥは、ターゲットネットワークにおいて、ターゲットアクセスネットワークデバイスによって送信された一時的優先順位リストを受信する。ターゲットアクセスネットワークデバイスによってＵＥに送信される一時的優先順位リストは、ソースアクセスネットワークデバイスによってＵＥに送信される一時的優先順位リストと同じである。
【０１１７】
この実施形態では、ＵＥがソースネットワーク内に存在する場合、ＵＥはソースアクセスネットワークデバイスによって送信された一時的優先順位リストを受信し、ＵＥがターゲットネットワーク内に存在する場合、ＵＥはターゲットアクセスネットワークデバイスによって送信された一時的優先順位リストを受信する。言い換えると、ＲＡＴ間ネットワークにおいて、ＵＥがどのネットワーク内に存在するかに関わらず、受信される優先順位リストが同じになるため、ピンポン再選択を事実上防ぐことができる。
【０１１８】
以下では、本発明の一実施形態におけるアクセスネットワークデバイスについて説明する。図５を参照すると、この実施形態での、ＵＥがソースネットワークにアクセスできるようにするデバイス（つまり、ソースアクセスネットワークデバイス）が説明されている。この実施形態におけるアクセスネットワークデバイス５００は、
一時的優先順位リストを生成するように構成された優先順位リスト生成ユニット５０１であって、一時的優先順位リストはソースネットワークの周波数、ターゲットネットワークの周波数、ソースネットワークの周波数の優先度、及びターゲットネットワークの周波数の優先度を含む、優先順位リスト生成ユニット５０１と、
一時的優先順位リストをターゲットアクセスネットワークデバイスに送信し、ターゲットアクセスネットワークデバイスはＵＥがターゲットネットワークにアクセスできるようにするデバイスであり、一時的優先順位リストをＵＥに送信するように構成された送信ユニット５０２とを含む。
【０１１９】
この実施形態では、ソースアクセスネットワークデバイスの優先順位リスト生成ユニットは、生成された一時的優先順位リストをターゲットアクセスネットワークデバイスに送信し、ソースアクセスネットワークデバイス及びターゲットアクセスネットワークデバイスの両方の送信ユニットが一時的優先順位リストをＵＥに送信できるようにする。つまり、異なるＲＡＴのネットワーク内のブロードキャストメッセージが一致することが保証される。したがって、ＵＥがどのネットワークに存在するかに関わらず、ＵＥは常に最も優先度の高い一意の周波数を、ネットワークによってブロードキャストされた優先順位リストから選択することができ、それによって、その周波数に対応するセルを再選択し、ピンポン再選択を防ぐ。
【０１２０】
理解を容易にするために、以下では、本発明の一実施形態におけるアクセスネットワークデバイスについて、具体的な実施形態を使用して説明する。図６を参照すると、この実施形態で説明されるアクセスネットワークデバイス６００は、引き続きソースアクセスネットワークデバイスである。アクセスネットワークデバイス６００は、
サービングセルの負荷を検出し、サービングセルはソースネットワークのセルであり、このセル上に現在ＵＥがキャンプしており、サービングセルの負荷が第１負荷しきい値よりも大きい場合にソースネットワークの負荷を検出し、ソースネットワークの負荷が第２負荷しきい値よりも大きい場合に負荷情報取得要求を異なるＲＡＴの別のネットワークに送信し、異なるＲＡＴの別のネットワークからフィードバックされた負荷情報を受信し、その負荷情報に従って、異なるＲＡＴのネットワークであり、第３負荷しきい値よりも小さい負荷を持つネットワークを検索し、異なるＲＡＴのネットワークであり、第３負荷しきい値よりも小さい負荷を持つネットワークをターゲットネットワークとして使用し、優先順位リスト生成ユニット６０２を起動して一時的優先順位リストを生成するように構成された負荷検出ユニット６０１と、
一時的優先順位リストを生成するように構成された優先順位リスト生成ユニット６０２であって、一時的優先順位リストはソースネットワークの周波数、ターゲットネットワークの周波数、ソースネットワークの周波数の優先度、及びターゲットネットワークの周波数の優先度を含む、優先順位リスト生成ユニット６０２と、
一時的優先順位リストをターゲットアクセスネットワークデバイスに送信し、ターゲットアクセスネットワークデバイスはＵＥがターゲットネットワークにアクセスできるようにするデバイスであり、一時的優先順位リストをＵＥに送信するように構成された送信ユニット６０３とを含む。
【０１２１】
理解を容易にするために、以下では、この実施形態におけるアクセスネットワークデバイス６００のユニット間の相互作用方法について、適用シナリオを使用して説明する。
【０１２２】
ＲＡＴ間ネットワークのネットワークのシナリオでは、ＵＥの電源が投入された後に、ＵＥがネットワークに登録され、この登録が成功した後に、ＵＥがそのネットワークによってカバーされるセル上にキャンプする。ここで、ＵＥが現在存在するネットワークをソースネットワークと呼び、ＵＥがソースネットワーク内でキャンプするセルをサービングセルと呼ぶ。ＵＥがサービングセル上にキャンプした後に、ソースアクセスネットワークデバイスの負荷検出ユニット６０１は、サービングセルのリソース使用状況又はサービングセルにアクセスしているユーザの数を検出することによって、サービングセルの負荷を検出する。
【０１２３】
負荷検出ユニット６０１は、サービングセルの負荷容量に従って、サービングセルの負荷しきい値（つまり、第１負荷しきい値）を事前に設定できる。サービングセルの負荷が第１負荷しきい値よりも大きいことが検出された場合、負荷検出ユニット６０１は、ソースネットワークの負荷を引き続き検出する。
【０１２４】
サービングセルの負荷が重すぎる場合、負荷検出ユニット６０１は、さらにソースネットワーク内の別のセルの負荷を検出する必要がある。ソースネットワーク内の別のセルの負荷が重くない場合は、ＵＥをソースネットワーク内の別のセルに移動することができる。ソースネットワーク内の他のすべてのセルの負荷が重すぎる場合、負荷検出ユニット６０１は、負荷の移動先になることができるターゲットネットワークを検索する必要がある。
【０１２５】
つまり、サービングセルの負荷が重すぎる場合、ターゲットネットワークを検索する必要があるかどうかは、ソースネットワークの負荷によって決まる。
【０１２６】
ソースネットワークが周波数内ネットワーク内にあり、ソースネットワーク内で負荷分散ポリシーが有効化されている（つまり、ソースネットワーク内のセルの負荷が同じ瞬間にほぼ同じになる）場合、負荷検出ユニット６０１は、サービングセルの検出された負荷に従って、ソースネットワークの負荷を推定できる。ソースネットワークが周波数間ネットワーク内にある場合、負荷検出ユニット６０１は、ソースネットワーク内のさまざまな周波数を使用するセルの負荷をマスタ制御ノードから取得し、次にソースネットワーク内のさまざまな周波数を使用するセルの負荷を合計してソースネットワークの負荷を取得できる。
【０１２７】
負荷検出ユニット６０１は、ソースネットワークのネットワーク容量に従って、ソースネットワークの第２負荷しきい値を事前に設定できる。ソースネットワークの負荷が第２負荷しきい値よりも大きいことが検出された場合、それは、ソースネットワーク内のすべてのセルが負荷制限に達し、それ以上多くのＵＥにサービスを提供できないということを示している。
【０１２８】
ソースネットワークの負荷が第２負荷しきい値よりも大きい場合、それは、負荷の移動先になることができるセルがソースネットワーク内に存在しないということを示している。その場合、負荷検出ユニット６０１は、負荷の移動先になるターゲットネットワークを検索する必要がある。
【０１２９】
具体的には、負荷検出ユニット６０１は、負荷情報取得要求を異なるＲＡＴの別のネットワークに送信し、異なるＲＡＴの別のネットワークからフィードバックされた負荷情報を受信し、異なるＲＡＴのネットワークであり、異なるＲＡＴの他のネットワーク内の第３負荷しきい値よりも小さい負荷を持つネットワークが存在するかどうかを決定する。ここで、第３負荷しきい値は、異なるＲＡＴの別のネットワークの負荷容量に従って、負荷検出ユニット６０１によって事前に設定できるか、又は異なるＲＡＴの別のネットワークによって事前に設定できる。
【０１３０】
異なるＲＡＴの他のネットワークであり、異なるＲＡＴの他のネットワーク内の第３負荷しきい値よりも小さい負荷を持つネットワークが存在する場合、負荷検出ユニット６０１は、異なるＲＡＴのそのネットワークを、負荷の移動先になるターゲットネットワークとして使用する。
【０１３１】
負荷検出ユニット６０１がターゲットネットワークを取得した後に、優先順位リスト生成ユニットは、元の優先順位リスト内のソースネットワーク及びターゲットネットワークの各周波数の優先度及び位置を調整し、一時的優先順位リストを生成する必要がある。一時的優先順位リストにおいて、ソースネットワークの周波数の優先度は、ターゲットネットワークの周波数の優先度よりも低い。優先順位リスト生成ユニット６０２によって一時的優先順位リストを生成するための具体的方法は、次のようにすることができる。
【０１３２】
方法１：
元の優先順位リスト内のソースネットワーク及びターゲットネットワークの各周波数の優先度及び位置が再割り当てされ、一時的優先順位リストが生成される。
【０１３３】
ソースネットワークがＬＴＥであり、ソースネットワークに唯一の周波数Ｌ１が存在し、ターゲットネットワークがＵＭＴＳであり、ターゲットネットワークにＵ２及びＵ３という２つの周波数が存在すると仮定する。元の優先順位リスト内の周波数Ｌ１、Ｕ２、及びＵ３の優先度は、それぞれ
Ｌ１（Ｐｒｉｏｒｉｔｙ  ７）、Ｕ２（Ｐｒｉｏｒｉｔｙ  ３）、及びＵ３（Ｐｒｉｏｒｉｔｙ  ５）である。
【０１３４】
元の優先順位リストに記録されている３つの周波数の位置は、それぞれ
Ｌ１（Ｐ１）、Ｕ３（Ｐ２）、及びＵ２（Ｐ３）である。
【０１３５】
優先順位リスト生成ユニット６０２は、ソースネットワークの周波数の優先度をより低いレベルに調整し、ターゲットネットワークの周波数の優先度をより高いレベルに調整する。ターゲットネットワークの複数の周波数の優先度間の元の相対的に高い／低い関係は維持される必要がある。調整後の一時的優先順位リスト内の周波数の優先度は、それぞれ
Ｌ１（Ｐｒｉｏｒｉｔｙ  ３）、Ｕ２（Ｐｒｉｏｒｉｔｙ  ５）、及びＵ３（Ｐｒｉｏｒｉｔｙ  ７）である。
【０１３６】
それに応じて、３つの周波数の位置が調整され、調整後に生成された一時的優先順位リスト内の３つの周波数の位置は、それぞれ
Ｌ１（Ｐ３）、Ｕ２（Ｐ２）、及びＵ３（Ｐ１）である。
【０１３７】
方法２：
ソースネットワーク内のより高い負荷を持つ一部の周波数は直接無視され、一時的優先順位リストが生成される。
【０１３８】
ソースネットワークが引き続きＬＴＥであり、ソースネットワークに２つの周波数Ｌ１及びＬ２が存在し、ＵＥが現在キャンプしているサービングセルの周波数がＬ１であり、ターゲットネットワークがＵＭＴＳであり、ターゲットネットワークに１つの周波数Ｕ３が存在すると仮定する。元の優先順位リスト内の周波数Ｌ１、Ｌ２、及びＵ３の優先度は、それぞれ
Ｌ１（Ｐｒｉｏｒｉｔｙ  ７）、Ｌ２（Ｐｒｉｏｒｉｔｙ  ６）、及びＵ３（Ｐｒｉｏｒｉｔｙ  ２）である。
【０１３９】
元の優先順位リストに記録されている３つの周波数の位置は、それぞれ
Ｌ１（Ｐ１）、Ｌ２（Ｐ２）、及びＵ３（Ｐ３）である。
【０１４０】
優先順位リスト生成ユニット６０２は、ソースネットワーク内のより優先度の低い周波数Ｌ２を直接無視し、残りの周波数の優先度及び位置を調整する。調整後に生成された一時的優先順位リスト内の周波数の優先度及び位置は、それぞれ
Ｌ１（Ｐｒｉｏｒｉｔｙ  ２）、Ｕ３（Ｐｒｉｏｒｉｔｙ  ７）、及びＬ１（Ｐ３）、Ｕ３（Ｐ１）である。ＵＥは、一時的優先順位リストに含められない周波数Ｌ２が最低の優先度を持つということを、デフォルトで自動的に考慮する。
【０１４１】
前述の方法２は、ソースネットワーク内に複数の周波数が存在する状況にのみ適用される。前述の方法１は、ソースネットワーク及びターゲットネットワークの周波数の数に関する要件をもたらすことがなく、任意の状況に適用される。
【０１４２】
一時的優先順位リストが生成された後に、送信ユニット６０３は、一時的優先順位リストをターゲットアクセスネットワークデバイスに送信して、ソースアクセスネットワークデバイスとターゲットアクセスネットワークデバイスの両方が一時的優先順位リストをＵＥに送信するようにする。送信ユニット６０３によって一時的優先順位リストをターゲットアクセスネットワークデバイスに送信する具体的方法は、次のとおりである。
【０１４３】
方法１：
一時的優先順位リストは、無線アクセスネットワーク情報管理（Ｒａｄｉｏ  Ａｃｃｅｓｓ  Ｎｅｔｗｏｒｋ  Ｉｎｆｏｒｍａｔｉｏｎ  Ｍａｎａｇｅｍｅｎｔ，ＲＩＭ）手順を使用してターゲットアクセスネットワークデバイスに送信される。
【０１４４】
具体的には、送信ユニット６０３は、一時的優先順位リストを、ＲＩＭ情報であり、システム間再選択に関連しているシステム情報ブロック（Ｓｙｓｔｅｍ  Ｉｎｆｏｒｍａｔｉｏｎ  Ｂｌｏｃｋ，ＳＩＢ）に配置できる。元の優先順位リストは、一時的優先順位リストに置き換えられる。例えば、一時的優先順位リストは、ＵＭＴＳ地上波無線アクセスネットワークの隣接するセルのＳＩＢ  ６構造に配置され、ターゲットアクセスネットワークデバイスに送信される。
【０１４５】
ソースアクセスネットワークデバイス及びターゲットアクセスネットワークデバイスは、ターゲットアクセスネットワークデバイスが新しい優先順位リスト（つまり、一時的優先順位リスト）を受信した後に、ターゲットアクセスネットワークデバイスが新しい優先順位リストをＵＥに送信すること、又は送信ユニット６０３が一時的優先順位リストをターゲットアクセスネットワークデバイスに送信するときに、送信ユニット６０３が情報要素フィールドを追加することに事前に合意できる。この情報要素フィールドは、ターゲットアクセスネットワークデバイスが、一時的優先順位リストを受信した後に、一時的優先順位リストをＵＥに送信する必要があるということを示す。
【０１４６】
加えて、送信ユニット６０３は、一時的優先順位リストをターゲットアクセスネットワークデバイスに送信する際に、一時的優先順位リストの有効期間を識別する別の情報要素フィールドをさらに追加できる。一時的優先順位リストのブロードキャスト時間が識別された有効期間を超えた場合、ソースアクセスネットワークデバイスとターゲットアクセスネットワークデバイスの両方が元の優先順位リストをＵＥに送信する。
【０１４７】
方法２：
一時的優先順位リストをマスタ制御ノードを介してターゲットアクセスネットワークデバイスに送信するために、一時的優先順位リストがマスタ制御ノードに送信される。
【０１４８】
具体的には、送信ユニット６０３は、負荷調整要求をマスタ制御ノードに送信し、送信ユニット６０３は、一時的優先順位リストの有効期間にマークを付けた後に、一時的優先順位リストをマスタ制御ノードに送信する。これにより、マスタ制御ノードが一時的優先順位リスト及び有効期間をターゲットアクセスネットワークデバイスに送信するようにする。マスタ制御ノードは、ＯＳＳネットワーク要素又はマスタ制御ノード機能を備える別のノードにすることができる。
【０１４９】
送信ユニット６０３は、前述の２つの方法のいずれか１つを使用して、一時的優先順位リストをターゲットアクセスネットワークデバイスに送信できる。これにより、ソースネットワークの負荷が第１負荷しきい値よりも大きい場合に、ソースアクセスネットワークデバイスとターゲットアクセスネットワークデバイスの両方が一時的優先順位リストをＵＥに送信するようにする。送信ユニット６０３によって一時的優先順位リストをＵＥに送信する具体的な方法は、ブロードキャストにすることができる。
【０１５０】
送信ユニット６０３が一時的優先順位リストをＵＥに送信した後に、負荷検出ユニット６０１はソースネットワークの負荷を引き続き検出する。ソースネットワークが正常なレベルに回復した（つまり、ソースネットワークの負荷が第２負荷しきい値よりも小さい）ことが検出された場合、送信ユニット６０３は、ソースアクセスネットワークデバイスと同様に元の優先順位リストをＵＥに送信するようにターゲットアクセスネットワークデバイスに指示するために、情報をターゲットアクセスネットワークデバイスに送信する。
【０１５１】
それに応じて、送信ユニット６０３は、ＲＩＭ手順を使用して第１の情報をターゲットアクセスネットワークデバイスに送信できる。つまり、システム間再選択ＳＩＢを含まないＲＩＭメッセージをターゲットアクセスネットワークデバイスに送信できる。ここで、このメッセージは、ソースアクセスネットワークデバイスと同様に元の優先順位リストをＵＥに送信するようにターゲットアクセスネットワークデバイスに指示するために使用される。
【０１５２】
あるいは、送信ユニット６０３は、第２の情報をマスタ制御ノードを介してターゲットアクセスネットワークデバイスに送信するために、第２の情報をマスタ制御ノードに送信する。ここで、第２の情報は、ソースアクセスネットワークデバイスと同様に元の優先順位リストをＵＥに送信するようにターゲットアクセスネットワークデバイスに指示するために使用される。
【０１５３】
この実施形態では、負荷検出ユニットがサービングセルの負荷を検出し、サービングセルの負荷が第１負荷しきい値よりも大きい場合にソースネットワークの負荷を検出し、ソースネットワークの負荷が第２負荷しきい値よりも大きい場合に優先順位リスト生成ユニットが一時的優先順位リストを生成し、送信ユニットがその一時的優先順位リストをターゲットアクセスネットワークデバイスに送信して、ソースアクセスネットワークデバイスとターゲットアクセスネットワークデバイスの両方が一時的優先順位リストをＵＥに送信するようにする。この実施形態では、サービングセルの負荷が過剰に重く、ソースネットワーク内に負荷の移動先になることができる負荷の軽いセルが存在しない場合、送信ユニットは、優先順位リスト生成ユニットによって生成された一時的優先順位リストをターゲットアクセスネットワークデバイスに送信して、ソースアクセスネットワークデバイス及びターゲットアクセスネットワークデバイスによってＵＥに送信される優先順位リストが、両方とも一時的優先順位リストになるようにする。加えて、ソースネットワークの負荷が正常なレベルに回復した場合、送信ユニットは、ソースアクセスネットワークデバイスと同様に元の優先順位リストをＵＥに送信するようにターゲットアクセスネットワークデバイスに指示するための情報を送信する。これにより、ＵＥによって異なるＲＡＴのネットワークから取得された優先順位リストが同じになることを保証し、ピンポン再選択を防ぐ。
【０１５４】
この実施形態における送信ユニットを、アクセスネットワークデバイスのトランスミッタ（例えば、基地局）にするか、又はアクセスネットワークデバイスのトランシーバにすることができるということに注意する必要がある。優先順位リスト生成ユニットは、独立して設定されたプロセッサにするか、又はアクセスネットワークデバイスのプロセッサに組み込んで実装することができる。加えて、優先順位リスト生成ユニットは、プログラムコードの形態でアクセスネットワークデバイスのメモリに格納できる。優先順位リスト生成ユニットの機能は、アクセスネットワークデバイスのプロセッサによって呼び出され、実行される。負荷検出ユニットの実装は優先順位リスト生成ユニットの実装と同じであり、負荷検出ユニットを、優先順位リスト生成ユニットと統合するか、又は独立して実装することができる。本明細書におけるプロセッサは、中央処理装置（Ｃｅｎｔｒａｌ  Ｐｒｏｃｅｓｓｉｎｇ  Ｕｎｉｔ，ＣＰＵ）若しくは特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ，ＡＳＩＣ）にするか、又は本発明の実施形態を実装する１つ若しくは複数の集積回路として構成することができる。
【０１５５】
前述の２つの実施形態は、ソースアクセスネットワークデバイスについて説明しており、以下の実施形態は、ＵＥがターゲットネットワークにアクセスできるようにするデバイス、つまり、ターゲットアクセスネットワークデバイスについて説明している。図７を参照すると、この実施形態におけるアクセスネットワークデバイス７００は、
ソースアクセスネットワークデバイスによって送信された一時的優先順位リストを受信するように構成された受信ユニット７０１であって、一時的優先順位リストはソースネットワークの周波数、ターゲットネットワークの周波数、ソースネットワークの周波数の優先度、及びターゲットネットワークの周波数の優先度を含み、ソースアクセスネットワークデバイスはＵＥがソースネットワークにアクセスできるようにするデバイスである、受信ユニット７０１と、
一時的優先順位リストをＵＥに送信するように構成された送信ユニット７０２とを含む。
【０１５６】
この実施形態では、受信ユニット７０１は、ＲＩＭ手順を使用して、又はマスタ制御ノードを介してソースアクセスネットワークデバイスによって送信された一時的優先順位リストを受信できる。一時的優先順位リストにおいて、ソースネットワークの周波数の優先度は、ターゲットネットワークの周波数の優先度よりも低い。
【０１５７】
送信ユニット７０２は、受信ユニット７０１によって受信された一時的優先順位リストを、ブロードキャストを用いてＵＥに送信できる。
【０１５８】
加えて、受信ユニット７０１が、ソースアクセスネットワークデバイスによって送信され、元の優先順位リストをＵＥに送信するようにターゲットアクセスネットワークデバイスに指示するために使用される情報を受信した場合、送信ユニット７０２は元の優先順位リストをＵＥに送信する。
【０１５９】
この実施形態では、受信ユニットがソースアクセスネットワークデバイスによって送信された一時的優先順位リストを受信した後に、送信ユニットが、ソースアクセスネットワークデバイスと同様に、一時的優先順位リストをＵＥに送信する。受信ユニットが、ソースアクセスネットワークデバイスによって送信され、元の優先順位リストをＵＥに送信するようにターゲットアクセスネットワークデバイスに指示するために使用される情報を受信した場合、送信ユニットは、ソースアクセスネットワークデバイスと同様に、元の優先順位リストをＵＥに送信する。これにより、異なるＲＡＴのネットワーク内のブロードキャストメッセージが一致することが保証されるため、ＵＥがどのネットワークに存在するかに関わらず、取得される優先順位リストが同じになり、ＵＥのピンポン再選択を防ぐ。
【０１６０】
この実施形態における受信ユニットをアクセスネットワークデバイスのレシーバにすることができ、送信ユニットをアクセスネットワークデバイスのトランスミッタにすることができるということに、注意する必要がある。加えて、受信ユニット及び送信ユニットを統合して、アクセスネットワークデバイスのトランシーバを形成できる。受信データを処理するためにプロセッサに送信するか、又はプロセッサによって処理されたデータを送信するために、受信ユニット及び送信ユニットをアクセスネットワークデバイスのプロセッサに接続できる。本明細書におけるプロセッサは、中央処理装置（Ｃｅｎｔｒａｌ  Ｐｒｏｃｅｓｓｉｎｇ  Ｕｎｉｔ，ＣＰＵ）若しくは特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ，ＡＳＩＣ）にするか、又は本発明の実施形態を実装する１つ若しくは複数の集積回路として構成することができる。
【０１６１】
以下では、本発明の一実施形態におけるＵＥについて説明する。図８を参照すると、この実施形態におけるＵＥ８００は、
ソースアクセスネットワークデバイスによって送信された一時的優先順位リストを受信するように構成された受信ユニット８０１であって、一時的優先順位リストはソースネットワークの周波数、ターゲットネットワークの周波数、ソースネットワークの周波数の優先度、及びターゲットネットワークの周波数の優先度を含み、ソースアクセスネットワークデバイスはＵＥがソースネットワークにアクセスできるようにするデバイスである、受信ユニット８０１と、
受信ユニット８０１によって受信された一時的優先順位リスト内の周波数の優先度に従ってネットワーク再選択を実行するように構成されたネットワーク再選択ユニット８０２とを含む。
【０１６２】
受信ユニット８０１はさらに、ネットワーク再選択ユニット８０２がターゲットネットワークを再選択してアクセスした場合に、ターゲットアクセスネットワークデバイスがソースアクセスネットワークデバイスから受信してＵＥに送信する一時的優先順位リストを受信するように構成される。ここで、ターゲットアクセスネットワークデバイスは、ＵＥがターゲットネットワークにアクセスできるようにするデバイスである。
【０１６３】
この実施形態では、ＵＥがソースネットワーク内に存在する場合、受信ユニットはソースアクセスネットワークデバイスによって送信された一時的優先順位リストを受信し、ネットワーク再選択ユニットはその一時的優先順位リストに従ってターゲットネットワークを再選択し、ＵＥがターゲットネットワーク内に存在する場合、受信ユニットはターゲットアクセスネットワークデバイスによって送信された一時的優先順位リストを受信する。言い換えると、ＲＡＴ間ネットワークにおいて、ＵＥがどのネットワーク内に存在するかに関わらず、受信される優先順位リストが同じになるため、ピンポン再選択を事実上防ぐことができる。
【０１６４】
この実施形態における受信ユニットをＵＥのレシーバにするか、又はＵＥのトランシーバにすることができるということに注意する必要がある。ネットワーク再選択ユニットは、独立して設定されたプロセッサにするか、又はＵＥのプロセッサに組み込んで実装することができる。加えて、ネットワーク再選択ユニットを、プログラムコードの形態でＵＥのメモリに格納することもできる。ネットワーク再選択ユニットの機能は、ＵＥのプロセッサによって呼び出されて実行される。本明細書におけるプロセッサは、中央処理装置（Ｃｅｎｔｒａｌ  Ｐｒｏｃｅｓｓｉｎｇ  Ｕｎｉｔ，ＣＰＵ）若しくは特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ，ＡＳＩＣ）にするか、又は本発明の実施形態を実装する１つ若しくは複数の集積回路として構成することができる。
【０１６５】
以下では、本発明の実施形態におけるアクセスネットワークデバイスについて詳細に説明する。図９を参照すると、この実施形態におけるアクセスネットワークデバイスは、ＵＥがソースネットワークにアクセスできるようにするデバイス、つまり、ソースアクセスネットワークデバイスである。この実施形態におけるアクセスネットワークデバイス９００は、
レシーバ９０１、トランスミッタ９０２、メモリ９０３、及びプロセッサ９０４を含む。ここで、レシーバ９０１、トランスミッタ９０２、及びメモリ９０３は、すべてプロセッサ９０４に（例えばバスを介して）接続される。当然、基地局は、アンテナ、ベースバンド処理コンポーネント、中間周波数及び無線周波数処理コンポーネント、並びに入出力装置などの一般的なコンポーネントを含むことができる。本発明のこの実施形態は、本発明に対する制限を設定しない。
【０１６６】
レシーバ９０１及びトランスミッタ９０２を統合してトランシーバを形成できる。
【０１６７】
メモリ９０３は、実行可能プログラムコードを格納するように構成される。ここで、このプログラムコードはコンピュータ操作命令を含む。メモリ９０３は、高速ＲＡＭメモリを含むか、又は不揮発性メモリ（ｎｏｎ−ｖｏｌａｔｉｌｅ  ｍｅｍｏｒｙ）（例えば、少なくとも１つのディスクメモリ）を含むことができる。
【０１６８】
プロセッサ９０４は、中央処理装置（Ｃｅｎｔｒａｌ  Ｐｒｏｃｅｓｓｉｎｇ  Ｕｎｉｔ，ＣＰＵ）若しくは特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ，ＡＳＩＣ）にするか、又は本発明の実施形態を実装する１つ若しくは複数の集積回路として構成することができる。
【０１６９】
プロセッサ９０４は、一時的優先順位リストを生成するように構成される。ここで、一時的優先順位リストは、ソースネットワークの周波数、ターゲットネットワークの周波数、ソースネットワークの周波数の優先度、及びターゲットネットワークの周波数の優先度を含む。
【０１７０】
トランスミッタ９０２は、一時的優先順位リストをターゲットアクセスネットワークデバイスに送信し、ターゲットアクセスネットワークデバイスはＵＥがターゲットネットワークにアクセスできるようにするデバイスであり、一時的優先順位リストをＵＥに送信するように構成される。
【０１７１】
前述の一時的優先順位リストにおいて、ソースネットワークの周波数の優先度は、ターゲットネットワークの周波数の優先度よりも低い。
【０１７２】
プロセッサ９０４はさらに、サービングセルの負荷を検出し、ここで、サービングセルはソースネットワークのセルであり、このセル上に現在ＵＥがキャンプしており、サービングセルの負荷が第１負荷しきい値よりも大きい場合にソースネットワークの負荷を検出し、ソースネットワークの負荷が第２負荷しきい値よりも大きい場合に負荷情報取得要求を異なるＲＡＴの別のネットワークに送信し、異なるＲＡＴの別のネットワークからフィードバックされた負荷情報を受信し、その負荷情報に従って、異なるＲＡＴのネットワークであり、第３負荷しきい値よりも小さい負荷を持つネットワークを検索し、異なるＲＡＴのネットワークであり、第３負荷しきい値よりも小さい負荷を持つネットワークをターゲットネットワークとして使用し、一時的優先順位リストを生成するように構成される。
【０１７３】
プロセッサ９０４によってソースネットワークの負荷を検出するための方法は、具体的には、
サービングセルの検出済み負荷に従ってソースネットワークの負荷を推定するステップ、又は
ソースネットワーク内のすべての周波数を使用するセルの負荷をマスタ制御ノードから取得し、ソースネットワーク内のすべての周波数を使用するセルの負荷を合計するステップを含む。
【０１７４】
トランスミッタ９０２によって一時的優先順位リストをターゲットアクセスネットワークデバイスに送信するための方法は、具体的には、
無線アクセスネットワーク情報管理（ＲＩＭ）手順を使用して一時的優先順位リストをターゲットアクセスネットワークデバイスに送信するステップ、又は
一時的優先順位リストをマスタ制御ノードを介してターゲットアクセスネットワークデバイスに送信するために、一時的優先順位リストをマスタ制御ノードに送信するステップを含む。
【０１７５】
トランスミッタ９０２が一時的優先順位リストをＵＥに送信した後に、プロセッサ９０４はソースネットワークの負荷を引き続き検出する。プロセッサ９０４が、ソースネットワークの負荷が第２負荷しきい値よりも小さいことを検出した場合、トランスミッタ９０２はＲＩＭ手順を使用して第１の情報をターゲットアクセスネットワークデバイスに送信し、ここで、第１の情報は、ソースアクセスネットワークデバイスと同様に元の優先順位リストをＵＥに送信するようにターゲットアクセスネットワークデバイスに指示するために使用される。又は、
プロセッサ９０４が、ソースネットワークの負荷が第２負荷しきい値よりも小さいことを検出した場合、トランスミッタ９０２は、第２の情報をマスタ制御ノードを介してターゲットアクセスネットワークデバイスに送信するために、第２の情報をマスタ制御ノードに送信し、ここで、第２の情報は、ソースアクセスネットワークデバイスと同様に元の優先順位リストをＵＥに送信するようにターゲットアクセスネットワークデバイスに指示するために使用される。
【０１７６】
以下では、本発明の実施形態におけるアクセスネットワークデバイスについて詳細に説明する。図１０を参照すると、この実施形態におけるアクセスネットワークデバイスは、ＵＥがターゲットネットワークにアクセスできるようにするデバイス、つまり、ターゲットアクセスネットワークデバイスである。この実施形態におけるアクセスネットワークデバイス１０００は、
レシーバ１００１、トランスミッタ１００２、メモリ１００３、及びプロセッサ１００４を含む。ここで、レシーバ１００１、トランスミッタ１００２、及びメモリ１００３は、すべてプロセッサ１００４に（例えばバスを使用して）接続される。当然、基地局は、アンテナ、ベースバンド処理コンポーネント、中間周波数及び無線周波数処理コンポーネント、並びに入出力装置などの一般的なコンポーネントを含むことができる。本発明のこの実施形態は、本発明に対する制限を設定しない。
【０１７７】
レシーバ１００１及びトランスミッタ１００２を統合してトランシーバを形成することができる。
【０１７８】
メモリ１００３は、実行可能プログラムコードを格納するように構成される。ここで、このプログラムコードはコンピュータ操作命令を含む。メモリ１００３は、高速ＲＡＭメモリを含むか、又は不揮発性メモリ（ｎｏｎ−ｖｏｌａｔｉｌｅ  ｍｅｍｏｒｙ）（例えば、少なくとも１つのディスクメモリ）を含むことができる。
【０１７９】
プロセッサ１００４は、中央処理装置（Ｃｅｎｔｒａｌ  Ｐｒｏｃｅｓｓｉｎｇ  Ｕｎｉｔ，ＣＰＵ）若しくは特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ，ＡＳＩＣ）にするか、又は本発明の実施形態を実装する１つ若しくは複数の集積回路として構成することができる。
【０１８０】
プロセッサ１００４は、メモリ１００３に格納された実行可能プログラムコードを実行するように構成される。
【０１８１】
レシーバ１００１は、ソースアクセスネットワークデバイスによって送信された一時的優先順位リストを受信するように構成される。ここで、一時的優先順位リストはソースネットワークの周波数、ターゲットネットワークの周波数、ソースネットワークの周波数の優先度、及びターゲットネットワークの周波数の優先度を含み、ソースアクセスネットワークデバイスはＵＥがソースネットワークにアクセスできるようにするデバイスである。
【０１８２】
トランスミッタ１００２は、一時的優先順位リストをＵＥに送信するように構成される。
【０１８３】
一時的優先順位リストにおいて、ソースネットワークの周波数の優先度は、ターゲットネットワークの周波数の優先度よりも低い。
【０１８４】
以下では、本発明の一実施形態におけるＵＥについて詳細に説明する。図１１を参照すると、この実施形態におけるＵＥ１１００は、
レシーバ１１０１、トランスミッタ１１０２、メモリ１１０３、及びプロセッサ１１０４を含む。ここで、レシーバ１１０１、トランスミッタ１１０２、及びメモリ１１０３は、すべてプロセッサ１１０４に（例えばバスを使用して）接続される。当然、ＵＥは、アンテナ、ベースバンド処理コンポーネント、中間周波数及び無線周波数処理コンポーネント、並びに入出力装置などの一般的なコンポーネントを含むことができる。本発明のこの実施形態は、本発明に対する制限を設定しない。
【０１８５】
レシーバ１１０１及びトランスミッタ１１０２を統合してトランシーバを形成することができる。
【０１８６】
メモリ１１０３は、実行可能プログラムコードを格納するように構成される。ここで、このプログラムコードはコンピュータ操作命令を含む。メモリ１１０３は、高速ＲＡＭメモリを含むか、又は不揮発性メモリ（ｎｏｎ−ｖｏｌａｔｉｌｅ  ｍｅｍｏｒｙ）（例えば、少なくとも１つのディスクメモリ）を含むことができる。
【０１８７】
プロセッサ１１０４は、中央処理装置（Ｃｅｎｔｒａｌ  Ｐｒｏｃｅｓｓｉｎｇ  Ｕｎｉｔ，ＣＰＵ）若しくは特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ，ＡＳＩＣ）にするか、又は本発明の実施形態を実装する１つ若しくは複数の集積回路として構成することができる。
【０１８８】
レシーバ１１０１は、ソースアクセスネットワークデバイスによって送信された一時的優先順位リストを受信するように構成される。ここで、一時的優先順位リストはソースネットワークの周波数、ターゲットネットワークの周波数、ソースネットワークの周波数の優先度、及びターゲットネットワークの周波数の優先度を含み、ソースアクセスネットワークデバイスはＵＥがソースネットワークにアクセスできるようにするデバイスである。
【０１８９】
プロセッサ１１０４は、一時的優先順位リスト内の周波数の優先度に従ってネットワーク再選択を実行するように構成される。
【０１９０】
レシーバ１１０１はさらに、プロセッサ１１０４がターゲットネットワークを再選択してアクセスした場合に、ターゲットアクセスネットワークデバイスがソースアクセスネットワークデバイスから受信してＵＥに送信した一時的優先順位リストを受信するように構成される。ここで、ターゲットアクセスネットワークデバイスは、ＵＥがターゲットネットワークにアクセスできるようにするデバイスである。
【０１９１】
一時的優先順位リストにおいて、ソースネットワークの周波数の優先度は、ターゲットネットワークの周波数の優先度よりも低い。
【０１９２】
加えて、説明された機器の実施形態が単なる例であるということに注意する必要がある。別々の部分として説明されたユニットは、物理的に分かれていても分かれていなくてもよく、ユニットとして表示された部分は、物理的ユニットであってもなくてもよく、１つの位置に存在するか、又は複数のネットワークユニット上で分散されることが可能である。実際の必要性に応じてユニットの一部又は全部を選択し、実施形態の解決策の目的を達成することができる。加えて、本発明で提供された機器の実施形態に関する添付の図面において、ユニット間の接続関係は、各ユニットが相互通信接続を備えていることを示している。それらの通信接続は、１つ又は複数の通信バス又は信号ケーブルとして具体的に実装できる。一般的な当業者は、創造的な努力を行うことなく、本発明の実施形態を理解して実装することができる。
【０１９３】
各実施形態の前述の説明に基づいて、当業者は、必要な汎用ハードウェアにソフトウェアを加えることによって、又は専用ハードウェア（専用集積回路、専用ＣＰＵ、専用メモリ、専用コンポーネントなどを含む）のみによって、本発明を実装できるということを明確に理解できる。通常、コンピュータプログラムによって実行できる任意の機能は、対応するハードウェアを使用して容易に実装できる。さらに、同じ機能を実現するために使用される特定のハードウェア構造は、さまざまな形態（例えば、アナログ回路、デジタル回路、専用回路、又は同様の形態）にすることができる。ただし、本発明に関しては、ほとんどの場合、ソフトウェアプログラムによる実装が、より適切な実装形態である。そのような理解に基づいて、本発明の技術的解決策の本質的部分又は従来技術に貢献する部分を、ソフトウェア製品の形態で実装できる。ソフトウェア製品は、コンピュータのフロッピーディスク、ＵＳＢフラッシュドライブ、取り外し可能なハードディスク、読み取り専用メモリ（ＲＯＭ，Ｒｅａｄ−Ｏｎｌｙ  Ｍｅｍｏｒｙ）、ランダムアクセスメモリ（ＲＡＭ，Ｒａｎｄｏｍ  Ａｃｃｅｓｓ  Ｍｅｍｏｒｙ）、磁気ディスク、又は光ディスクなどの読み取り可能記憶媒体に格納され、本発明の実施形態で説明された方法を実行するようにコンピュータデバイス（パーソナルコンピュータ、サーバ、ネットワークデバイスなどにすることができる）に指示するための複数の命令を含む。
【０１９４】
本明細書では、本発明の実施形態で提供される、ＲＡＴ間ネットワークにおけるブロードキャストメッセージ及びアクセスネットワークデバイスを調整するための方法について詳細に説明した。一般的な当業者は、本発明のアイデアに従って、特定の実装方法及び適用範囲に対して変更を行うことができる。したがって、本明細書の内容を、本発明に対する制限と解釈してはならない。
【図１】
0006314243.tif 000002
【図２】
0006314243.tif 000003
【図３】
0006314243.tif 000004
【図４】
0006314243.tif 000005
【図５】
0006314243.tif 000006
【図６】
0006314243.tif 000007
【図７】
0006314243.tif 000008
【図８】
0006314243.tif 000009
【図９】
0006314243.tif 000010
【図１０】
0006314243.tif 000011
【図１１】
0006314243.tif 000012